(57)【特許請求の範囲】
【請求項１】
無線通信システムにおける端末（ＵＥ）が実行する方法であって、
前記ＵＥが、第１の搬送波グループ（ＣＧ；ｃａｒｒｉｅｒ  ｇｒｏｕｐ）のための第１の保証電力についての情報及び第２のＣＧのための第２の保証電力についての情報を上位層を介してネットワークから受信するステップであって、前記第１の保証電力は前記第１のＣＧに割り当てられた最小の電力であり、前記第２の保証電力は前記第２のＣＧに割り当てられた最小の電力である、ステップと、
前記ＵＥが、前記第２の保証電力及びチャネル優先順位に基づいて前記第１のＣＧのための上りリンク電力を割り当てるステップを含み、
前記端末はマスタｅＮＢ（ＭｅＮＢ）とセコンダリｅＮＢ（ＳｅＮＢ）に二重接続され、
前記チャネル優先順位で、ＰＲＡＣＨ（ｐｈｙｓｉｃａｌ  ｒａｎｄｏｍ  ａｃｃｅｓｓ  ｃｈａｎｎｅｌ）が最も高い優先順位を有する、方法。
【請求項２】
前記第１の保証電力及び前記第２の保証電力は、前記ＭｅＮＢにより構成される、請求項１に記載の方法。
【請求項３】
前記第１の保証電力及び前記第２の保証電力は、比率により構成される、請求項１に記載の方法。
【請求項４】
前記第１の保証電力及び前記第２の保証電力は、前記ＵＥのＰＲＡＣＨ伝送の電力を制限しない、請求項１に記載の方法。
【請求項５】
前記チャネル優先順位で、ＰＵＣＣＨ（ｐｈｙｓｉｃａｌ  ｕｐｌｉｎｋ  ｃｏｎｔｒｏｌ  ｃｈａｎｎｅｌ）がＰＵＳＣＨ（ｐｈｙｓｉｃａｌ  ｕｐｌｉｎｋ  ｓｈａｒｅｄ  ｃａｈｎｎｅｌ）より高い優先順位を有する、請求項１に記載の方法。
【請求項６】
前記チャネル優先順位で、ＨＡＲＱ−ＡＣＫ（ｈｙｂｒｉｄ  ａｕｔｏｍａｔｉｃ  ｒｅｐｅａｔ  ｒｅｑｕｅｓｔ  ａｃｋｎｏｗｌｅｄｇｅ）またはＳＲ（ｓｃｈｅｄｕｌｉｎｇ  ｒｅｑｕｅｓｔ）のうち、少なくとも１つを含むＵＣＩ（ｕｐｌｉｎｋ  ｃｏｎｔｒｏｌ  ｉｎｆｏｒｍａｔｉｏｎ）を有するＰＵＳＣＨが前記ＨＡＲＱ−ＡＣＫまたは前記ＳＲのうち、少なくとも１つを含まないＵＣＩを有するＰＵＳＣＨより高い優先順位を有する、請求項１に記載の方法。
【請求項７】
前記チャネル優先順位で、ＵＣＩを有するＰＵＳＣＨがＵＣＩを有さないＰＵＳＣＨより高い優先順位を有する、請求項１に記載の方法。
【請求項８】
前記第１のＣＧのための上りリンク電力は、前記ＵＥのために構成された最大電力から前記第２の保証電力を引いて残った、残りの電力内で割り当てられる、請求項１に記載の方法。
【請求項９】
前記第１のＣＧ及び前記第２のＣＧ内で電力縮小を行うステップをさらに含む、請求項１に記載の方法。
【請求項１０】
前記第１のＣＧは、前記ＭｅＮＢに対するＭＣＧ（ｍａｓｔｅｒ  ｃｅｌｌ  ｇｒｏｕｐ）であり、
前記第２のＣＧは、前記ＳｅＮＢに対するＳＣＧ（ｓｅｃｏｎｄａｒｙ  ｃｅｌｌ  ｇｒｏｕｐ）である、請求項１に記載の方法。
【請求項１１】
前記第１のＣＧは、前記ＳｅＮＢに対するＳＣＧであり、
前記第２のＣＧは、前記ＭｅＮＢに対するＭＣＧである、請求項１に記載の方法。
【請求項１２】
前記第１のＣＧは、複数の構成搬送波（ＣＣ；ｃｏｍｐｏｎｅｎｔ  ｃａｒｒｉｅｒ）を備え、
前記第２のＣＧは、複数のＣＣを備える、請求項１に記載の方法。
【請求項１３】
メモリと、
ＲＦ（ｒａｄｉｏ  ｆｒｅｑｕｅｎｃｙ）部と、
前記メモリ及び前記ＲＦ部と連結されるプロセッサと、
を備え、
前記プロセッサは、
前記ＲＦ部が第１の搬送波グループ（ＣＧ；ｃａｒｒｉｅｒ  ｇｒｏｕｐ）のための第１の保証電力についての情報及び第２のＣＧのための第２の保証電力についての情報を上位層を介してネットワークから受信するように制御し、前記第１の保証電力は前記第１のＣＧに割り当てられた最小の電力であり、前記第２の保証電力は前記第２のＣＧに割り当てられた最小の電力であり、
前記第２の保証電力及びチャネル優先順位に基づいて前記第１のＣＧのための上りリンク電力を割り当てるように制御し、
前記端末はマスタｅＮＢ（ＭｅＮＢ）とセコンダリｅＮＢ（ＳｅＮＢ）に二重接続され、
前記チャネル優先順位で、ＰＲＡＣＨ（ｐｈｙｓｉｃａｌ  ｒａｎｄｏｍ  ａｃｃｅｓｓ  ｃｈａｎｎｅｌ）が最も高い優先順位を有する、端末（ＵＥ）。
【発明の詳細な説明】
【技術分野】
【０００１】
本発明は、無線通信に関し、より詳細には、無線通信システムにおける上りリンク電力を制御する方法及び装置に関する。
に関する。
【背景技術】
【０００２】
ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）は、ヨーロッパシステム（Ｅｕｒｏｐｅａｎ  ｓｙｓｔｅｍ）、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）、及びＧＰＲＳ（ｇｅｎｅｒａｌ  ｐａｃｋｅｔ  ｒａｄｉｏ  ｓｅｒｖｉｃｅｓ）に基づいてＷＣＭＤＡ（ｗｉｄｅｂａｎｄ  ｃｏｄｅ  ｄｉｖｉｓｉｏｎ  ｍｕｌｔｉｐｌｅ  ａｃｃｅｓｓ）で動作する３世代（３ｒｄ  ｇｅｎｅｒａｔｉｏｎ）非同期（ａｓｙｎｃｈｒｏｎｏｕｓ）移動通信システムである。ＵＭＴＳのＬＴＥ（ｌｏｎｇ−ｔｅｒｍ  ｅｖｏｌｕｔｉｏｎ）がＵＭＴＳを標準化する３ＧＰＰ（３ｒｄ  ｇｅｎｅｒａｔｉｏｎ  ｐａｒｔｎｅｒｓｈｉｐ  ｐｒｏｊｅｃｔ）により議論中である。
【０００３】
３ＧＰＰ  ＬＴＥは、高速パケット通信を可能にするための技術である。ＬＴＥ目標であるユーザと事業者の費用節減、サービス品質向上、カバレッジ拡張及びシステム容量増大のために多くの方式が提案された。３ＧＰＰ  ＬＴＥは、上位レベル必要条件として、ビット当たり費用節減、サービス有用性向上、周波数バンドの柔軟な使用、簡単な構造、開放型インタフェース及び端末の適切な電力消費を要求する。
【０００４】
サービスのユーザ要求に対する容量を増加させるために、帯域幅を増加させることが重要でありうる。破片化された小さな帯域を効果的に使用するために、搬送波集合（ＣＡ：ｃａｒｒｉｅｒ  ａｇｇｒｅｇａｔｉｏｎ）または資源集合が開発されてきた。これは、イントラ−ノード（ｉｎｔｒａ−ｎｏｄｅ）搬送波上またはインタ−ノード（ｉｎｔｅｒ−ｎｏｄｅ）搬送波上に周波数領域内の物理的に連続的でない複数の帯域をグルーピングし、あたかも論理的により広い帯域が使用されるような効果を得ることを目標とする。搬送波集合によりグルーピングされる個別単位の搬送波を構成搬送波（ＣＣ；ｃｏｍｐｏｎｅｎｔ  ｃａｒｒｉｅｒ）という。インタ−ノード資源集合で各ノードに対して搬送波グループ（ＣＧ；ｃａｒｒｉｅｒ  ｇｒｏｕｐ）が設定され得、１つのＣＧは、複数のＣＣを有することができる。各ＣＣは、単一帯域幅と中心周波数とに定義される。
【０００５】
ＬＴＥ  Ｒｅｌ−１２において、二重連結（ｄｕａｌ  ｃｏｎｎｅｃｔｉｖｉｔｙ）が支援されるスモールセル向上（ｓｍａｌｌ  ｃｅｌｌ  ｅｎｈａｎｃｅｍｅｎｔ）に対する新しい議論が始まった。二重連結は、ＲＲＣ＿ＣＯＮＮＥＣＴＥＤ状態の与えられた端末が非理想的なバックホール（ｂａｃｋｈａｕｌ）で連結された少なくとも２つの互いに異なるネットワーク地点（マスタｅＮＢ（ＭｅＮＢ）及びセコンダリｅＮＢ（ＳｅＮＢ））から提供される無線資源を消費する動作である。さらに、端末のための二重連結に関与する各ｅＮＢは、他の役割を仮定することができる。その役割は、ｅＮＢの電力等級に依存する必要がなく、端末間で異なり得る。
【０００６】
上りリンク電力制御は、物理チャネルが伝送されるＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）シンボル上の平均電力を決定する。上りリンク電力制御は、互いに異なる上りリンク物理チャネルの伝送電力を制御する。ＣＡまたは二重連結のための効率的な上りリンク電力制御方法が要求され得る。
【発明の概要】
【発明が解決しようとする課題】
【０００７】
本発明は、無線通信システムにおける上りリンク電力を制御する方法及び装置を提供する。本発明は、端末（ＵＥ；ｕｓｅｒ  ｅｑｕｉｐｍｅｎｔ）が理想的または非理想的バックホール（ｂａｃｋｈａｕｌ）上にインタ−サイト（ｉｎｔｅｒ−ｓｉｔｅ）搬送波で構成され、スケジューリング及び電力制御が各サイトで独立に行われるとき、上りリンク電力を制御する方法を提供する。本発明は、各搬送波グループに対して最小留保された伝送電力を構成し、端末が最大許容電力のため、制限された電力を経験する場合、未使用の伝送電力に対して電力共有規則を適用することを提供する。
【課題を解決するための手段】
【０００８】
一態様において、無線通信システムにおける端末（ＵＥ；ｕｓｅｒ  ｅｑｕｉｐｍｅｎｔ）による上りリンク電力を制御する方法が提供される。前記方法は、第１の搬送波グループに対する第１の最小留保電力及び第２の搬送波グループに対する第２の最小留保電力を割り当て、及び前記第１の最小留保電力及び前記第２の最小留保電力を割り当てた後、前記第１の最小留保電力及び前記第２の最小留保電力を除いた残りの電力に対して前記第１の搬送波グループ及び前記第２の搬送波グループ間に電力共有規則を適用することを含む。
【０００９】
他の態様において、無線通信システムにおける端末（ＵＥ；ｕｓｅｒ  ｅｑｕｉｐｍｅｎｔ）が提供される。前記端末は、無線信号を伝送または受信するＲＦ（ｒａｄｉｏ  ｆｒｅｑｕｅｎｃｙ）部、及び前記ＲＦ部と連結されるプロセッサを備え、前記プロセッサは、第１の搬送波グループに対する第１の最小留保電力及び第２の搬送波グループに対する第２の最小留保電力を割り当て、及び前記第１の最小留保電力及び前記第２の最小留保電力を割り当てた後、前記第１の最小留保電力及び前記第２の最小留保電力を除いた残りの電力に対して前記第１の搬送波グループ及び前記第２の搬送波グループ間に電力共有規則を適用するように構成される。
【発明の効果】
【００１０】
各ｅＮＢ（ｅｖｏｌｖｅｄ  ＮｏｄｅＢ）または各搬送波グループに対して個別的な最小留保電力が保障され得る。
【図面の簡単な説明】
【００１１】
【図１】無線通信システムを示す。
【図２】３ＧＰＰ  ＬＴＥの無線フレームの構造を示す。
【図３】１つのＤＬスロットに対する資源グリッド（ｒｅｓｏｕｒｃｅ  ｇｒｉｄ）を示す。
【図４】ＤＬサブフレームの構造を示す。
【図５】ＵＬサブフレームの構造を示す。
【図６】３ＧＰＰ  ＬＴＥ−Ａの搬送波集合の例を示す。
【図７】大型セル及び小型セルへの二重連結の例を示す。
【図８】パワーが制限される場合のＰＲＡＣＨ伝送によるパワー縮小の例を示す。
【図９】本発明の一実施形態に係る上りリンクパワー割当の例を示す。
【図１０】本発明の一実施形態に係る上りリンクパワー割当の例を示す。
【図１１】本発明の一実施形態に係る上りリンク制御方法の例を示す。
【図１２】本発明の一実施形態に係る２段階パワー制限接近方式の例を示す。
【図１３】本発明の一実施形態に係る２段階パワー制限接近方式のさらに他の例を示す。
【図１４】ＵＥの遅延処理の一例を示す。
【図１５】本発明の実施形態が実現される無線通信システムのブロック図である。
【発明を実施するための形態】
【００１２】
以下において説明される技術、装置、及びシステムは、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような種々の無線通信システムに使用されることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）として実現されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術として実現されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ  ＵＴＲＡ）などのような無線技術として実現されることができる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）  ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であって、下りリンクでＯＦＤＭＡを採用し、上りリンクでＳＣ−ＦＤＭＡを採用する。ＬＴＥ−Ａ（ａｄｖａｎｃｅｄ）は、３ＧＰＰ  ＬＴＥの進化である。説明を明確にするために、本明細書は、３ＧＰＰ  ＬＴＥ／ＬＴＥ−Ａに焦点を合わせる。しかし、本発明の技術的特徴がこれに制限されるものではない。
【００１３】
図１は、無線通信システムを示す。無線通信システム１０は、少なくとも１つの基地局（１１；ＢＳ；ｂａｓｅ  ｓｔａｔｉｏｎ）を含む。各ＢＳ（１１）は、特定の地理的領域（一般に、セルという）１５ａ、１５ｂ、１５ｃに対して通信サービスを提供する。各セルは、さらに複数の領域（セクタともいう）に分けられることができる。端末（１２；ＵＥ；ｕｓｅｒ  ｅｑｕｉｐｍｅｎｔ）は、固定されるか、移動性を有することができ、ＭＳ（ｍｏｂｉｌｅ  ｓｔａｔｉｏｎ）、ＭＴ（ｍｏｂｉｌｅ  ｔｅｒｍｉｎａｌ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語として呼ばれることができる。ＢＳ（１１）は、一般に、ＵＥ（１２）と通信する固定された地点をいい、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語として呼ばれることができる。
【００１４】
ＵＥは、通常１つのセルに属するが、ＵＥが属したセルをサービングセル（ｓｅｒｖｉｎｇ  ｃｅｌｌ）という。サービングセルに対して通信サービスを提供するＢＳをサービングＢＳという。無線通信システムは、セルラーシステムであるから、サービングセルに隣接する他のセルが存在する。サービングセルに隣接する他のセルを隣接セル（ｎｅｉｇｈｂｏｒ  ｃｅｌｌ）という。隣接セルに対して通信サービスを提供するＢＳを隣接ＢＳという。サービングセル及び隣接セルは、ＵＥを基準として相対的に決定される。
【００１５】
この技術は、下りリンク（ＤＬ；ｄｏｗｎｌｉｎｋ）または上りリンク（ＵＬ；ｕｐｌｉｎｋ）に使用されることができる。一般に、ＤＬは、ＢＳ（１１）からＵＥ（１２）への通信を意味し、ＵＬは、ＵＥ（１２）からＢＳ（１１）への通信を意味する。ＤＬにおいて送信機は、ＢＳ（１１）の一部であり、受信機は、ＵＥ（１２）の一部でありうる。ＵＬにおいて送信機は、ＵＥ（１２）の一部であり、受信機は、ＢＳ（１１）の一部でありうる。
【００１６】
無線通信システムは、ＭＩＭＯ（ｍｕｌｔｉｐｌｅ−ｉｎｐｕｔ  ｍｕｌｔｉｐｌｅ−ｏｕｔｐｕｔ）システム、ＭＩＳＯ（ｍｕｌｔｉｐｌｅ−ｉｎｐｕｔ  ｓｉｎｇｌｅ−ｏｕｔｐｕｔ）システム、ＳＩＳＯ（ｓｉｎｇｌｅ−ｉｎｐｕｔ  ｓｉｎｇｌｅ−ｏｕｔｐｕｔ）システム、及びＳＩＭＯ（ｓｉｎｇｌｅ−ｉｎｐｕｔ  ｍｕｌｔｉｐｌｅ−ｏｕｔｐｕｔ）システムのうち、いずれか１つでありうる。ＭＩＭＯシステムは、複数の伝送アンテナと複数の受信アンテナとを使用する。ＭＩＳＯシステムは、複数の伝送アンテナと１つの受信アンテナとを使用する。ＳＩＳＯシステムは、１つの伝送アンテナと１つの受信アンテナとを使用する。ＳＩＭＯシステムは、１つの伝送アンテナと複数の受信アンテナとを使用する。以下において伝送アンテナは、１つの信号またはストリームを伝送するのに使用される物理的または論理的アンテナを意味し、受信アンテナは、１つの信号またはストリームを受信するのに使用される物理的または論理的アンテナを意味する。
【００１７】
図２は、３ＧＰＰ  ＬＴＥの無線フレームの構造を示す。図２に示すように、無線フレームは、１０個のサブフレームを含む。サブフレームは、時間領域で２個のスロットを含む。１つのサブフレームを伝送するのにかかる時間は、ＴＴＩ（ｔｒａｎｓｍｉｓｓｉｏｎ  ｔｉｍｅ  ｉｎｔｅｒｖａｌ）として定義される。例えば、１つのサブフレームの長さは１ｍｓでありえ、１つのスロットの長さは０．５ｍｓでありうる。１つのスロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む。３ＧＰＰ  ＬＴＥがＤＬでＯＦＤＭＡを使用するので、ＯＦＤＭシンボルは、１つのシンボル区間を表現するためのものである。ＯＦＤＭシンボルは、多重接続方式によって他の名称で呼ばれることができる。例えば、ＵＬ多重接続方式としてＳＣ−ＦＤＭＡが使用される場合、ＳＣ−ＦＤＭＡシンボルということができる。資源ブロック（ＲＢ；ｒｅｓｏｕｒｃｅ  ｂｌｏｃｋ）は、資源割当単位であって、１つのスロットで複数の連続する副搬送波を含む。前記無線フレームの構造は、一例に過ぎないものである。したがって、無線フレームに含まれるサブフレームの個数やサブフレームに含まれるスロットの個数、またはスロットに含まれるＯＦＤＭシンボルの個数は様々に変更され得る。
【００１８】
３ＧＰＰ  ＬＴＥは、１つのスロットが一般ＣＰ（ｃｙｃｌｉｃ  ｐｒｅｆｉｘ）で７ＯＦＤＭシンボルを含み、拡張ＣＰで６ＯＦＤＭシンボルを含むことと定義する。
【００１９】
無線通信システムは、大きくＦＤＤ（ｆｒｅｑｕｅｎｃｙ  ｄｉｖｉｓｉｏｎ  ｄｕｐｌｅｘ）方式とＴＤＤ（ｔｉｍｅ  ｄｉｖｉｓｉｏｎ  ｄｕｐｌｅｘ）方式とに分けることができる。ＦＤＤ方式によれば、ＵＬ伝送とＤＬ伝送とが互いに異なる周波数帯域を占めながらなされる。ＴＤＤ方式によれば、ＵＬ伝送とＤＬ伝送とが同じ周波数帯域を占めながら互いに異なる時間になされる。ＴＤＤ方式のチャネル応答は、実質的に相互的（ｒｅｃｉｐｒｏｃａｌ）である。これは、与えられた周波数領域でＤＬチャネル応答とＵＬチャネル応答とがほとんど同一であるということである。したがって、ＴＤＤに基づいた無線通信システムにおいてＤＬチャネル応答は、ＵＬチャネル応答から得られることができるという長所がある。ＴＤＤ方式は、全体周波数帯域をＵＬ伝送とＤＬ伝送とに時分割するので、ＢＳによるＤＬ伝送とＵＥによるＵＬ伝送とが同時に行われ得ない。ＵＬ伝送とＤＬ伝送とがサブフレーム単位に区分されるＴＤＤシステムにおいて、ＵＬ伝送とＤＬ伝送とは、互いに異なるサブフレームで行われる。
【００２０】
図３は、１つのＤＬスロットに対する資源グリッド（ｒｅｓｏｕｒｃｅ  ｇｒｉｄ）を示す。図３に示すように、ＤＬスロットは、時間領域で複数のＯＦＤＭシンボルを含む。ここで、１つのＤＬスロットは、７ＯＦＤＭシンボルを含み、１つのＲＢは、周波数領域で１２副搬送波を含むことを例示的に記述するが、これに制限されるものではない。資源グリッド上の各要素を資源要素（ｒｅｓｏｕｒｃｅ  ｅｌｅｍｅｎｔ）という。１つのＲＢは、７×１２資源要素を含む。ＤＬスロットに含まれる資源ブロックの数（ＮDL）は、ＤＬ伝送帯域幅に従属する。ＵＬスロットの構造もＤＬスロットの構造と同様でありうる。
【００２１】
ＯＦＤＭシンボルの数と副搬送波の数とは、ＣＰの長さ、周波数間隔などによって様々に変更され得る。例えば、ノーマルＣＰの場合、ＯＦＤＭシンボルの数は７であり、拡張ＣＰの場合、ＯＦＤＭシンボルの数は６である。１つのＯＦＤＭシンボルで副搬送波の数は、１２８，２５６，５１２，１０２４，１５３６及び２０４８のうち、１つを選定して使用することができる。
【００２２】
図４は、ＤＬサブフレームの構造を示す。図４に示すように、サブフレーム内の１番目のスロットの先行の最大３ＯＦＤＭシンボルは、制御チャネルが割り当てられる制御領域である。残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）が割り当てられるデータ領域に対応する。３ＧＰＰ  ＬＴＥで使用されるＤＬ制御チャネルの例示として、ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）、ＰＤＣＣＨ（ｐｈｙｓｉｃａｌ  ｄｏｗｎｌｉｎｋ  ｃｏｎｔｒｏｌ  ｃｈａｎｎｅｌ）、ＰＨＩＣＨ（ｐｈｙｓｉｃａｌ  ＨＡＲＱ  ｉｎｄｉｃａｔｏｒ  ｃｈａｎｎｅｌ）などを含む。ＰＣＦＩＣＨは、サブフレームの１番目のＯＦＤＭシンボルで伝送され、サブフレーム内で制御チャネルの伝送に使用されるＯＦＤＭシンボルの個数と関連した情報を運ぶ。ＰＨＩＣＨは、ＵＬ伝送に対する応答であり、ＨＡＲＱ（ｈｙｂｒｉｄ  ａｕｔｏｍａｔｉｃ  ｒｅｐｅａｔ  ｒｅｑｕｅｓｔ）ＡＣＫ／ＮＡＣＫ（ａｃｋｎｏｗｌｅｄｇｅｍｅｎｔ／ｎｏｎ−ａｃｋｎｏｗｌｅｄｇｅｍｅｎｔ）信号を運ぶ。ＰＤＣＣＨを介して伝送される制御情報は、ＤＣＩ（ｄｏｗｎｌｉｎｋ  ｃｏｎｔｒｏｌ  ｉｎｆｏｒｍａｔｉｏｎ）である。ＤＣＩは、ＵＬまたはＤＬスケジューリング情報、若しくは任意のＵＥグループのためのＵＬ伝送電力制御（ＴＰＣ；ｔｒａｎｓｍｉｔ  ｐｏｗｅｒ  ｃｏｎｔｒｏｌ）命令を含む。
【００２３】
ＰＤＣＣＨは、ＤＬ−ＳＣＨ（ｄｏｗｎｌｉｎｋ−ｓｈａｒｅｄ  ｃｈａｎｎｅｌ）の資源割当及び伝送フォーマット、ＵＬ−ＳＣＨ（ｕｐｌｉｎｋ  ｓｈａｒｅｄ  ｃｈａｎｎｅｌ）の資源割当情報、ページングチャネル上のページング情報、ＤＬ−ＳＣＨ上のシステム情報、ＰＤＳＣＨ上に伝送されるランダムアクセス応答のような上位階層制御メッセージの資源割当、任意のＵＥグループ内の個別ＵＥに対するＴＰＣ命令の集合、及びＶｏＩＰ（ｖｏｉｃｅ  ｏｖｅｒ  ｉｎｔｅｒｎｅｔ  ｐｒｏｔｏｃｏｌ）の活性化などを運ぶことができる。複数のＰＤＣＣＨが制御領域内で伝送され得る。ＵＥは、複数のＰＤＣＣＨをモニタリングすることができる。ＰＤＣＣＨは、１つまたはいくつかの連続的なＣＣＥ（ｃｏｎｔｒｏｌ  ｃｈａｎｎｅｌ  ｅｌｅｍｅｎｔｓ）の集合（ａｇｇｒｅｇａｔｉｏｎ）上に伝送される。ＣＣＥは、無線チャネルの状態に応じた符号化率を有するＰＤＣＣＨを提供するために使用される論理的割当単位である。ＣＣＥは、複数のＲＥＧ（ｒｅｓｏｕｒｃｅ  ｅｌｅｍｅｎｔ  ｇｒｏｕｐ）に対応する。
【００２４】
ＣＣＥの数とＣＣＥ等により提供される符号化率の連関関係によってＰＤＣＣＨのフォーマット及び可能なＰＤＣＣＨのビット数が決定される。ＢＳは、ＵＥに伝送しようとするＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付ける。ＣＲＣは、ＰＤＣＣＨの所有者（ｏｗｎｅｒ）や用途によって固有な識別子（ＲＮＴＩ；ｒａｄｉｏ  ｎｅｔｗｏｒｋ  ｔｅｍｐｏｒａｒｙ  ｉｄｅｎｔｉｆｉｅｒ）でマスキングされる。特定ＵＥのためのＰＤＣＣＨであれば、ＵＥの固有識別子、例えば、Ｃ−ＲＮＴＩ（ｃｅｌｌ−ＲＮＴＩ）がＣＲＣにマスキングされ得る。または、ページングメッセージのためのＰＤＣＣＨであれば、ページング指示識別子、例えば、Ｐ−ＲＮＴＩ（ｐａｇｉｎｇ−ＲＮＴＩ）がＣＲＣにマスキングされ得る。システム情報のためのＰＤＣＣＨであれば、ＳＩ−ＲＮＴＩ（ｓｙｓｔｅｍ  ｉｎｆｏｒｍａｔｉｏｎ−ＲＮＴＩ）がＣＲＣにマスキングされ得る。ＵＥのランダムアクセスプリアンブルの伝送に対する応答であるランダムアクセス応答を指示するために、ＲＡ−ＲＮＴＩ（ｒａｎｄｏｍ  ａｃｃｅｓｓ−ＲＮＴＩ）がＣＲＣにマスキングされ得る。
【００２５】
図５は、ＵＬサブフレームの構造を示す。図５に示すように、ＵＬサブフレームは、周波数領域で制御領域とデータ領域とに分けられることができる。制御領域は、ＵＬ制御情報が伝送されるためのＰＵＣＣＨ（ｐｈｙｓｉｃａｌ  ｕｐｌｉｎｋ  ｃｏｎｔｒｏｌ  ｃｈａｎｎｅｌ）が割り当てられる。データ領域は、ユーザデータが伝送されるためのＰＵＳＣＨ（ｐｈｙｓｉｃａｌ  ｕｐｌｉｎｋ  ｓｈａｒｅｄ  ｃｈａｎｎｅｌ）が割り当てられる。上位階層で指示される場合、ＵＥは、ＰＵＳＣＨとＰＵＣＣＨの同時伝送を支援することができる。１つのＵＥに対するＰＵＣＣＨは、サブフレームで資源ブロックペア（ＲＢ  ｐａｉｒ）に割り当てられる。ＲＢペアに属する資源ブロックは、第１のスロットと第２のスロットとの各々で互いに異なる副搬送波を占める。これをＰＵＣＣＨに割り当てられるＲＢペアが、スロット境界で周波数がホッピング（ｆｒｅｑｕｅｎｃｙ−ｈｏｐｐｅｄ）されたという。ＵＥは、時間に応じてＵＬ制御情報を互いに異なる副搬送波を介して伝送することにより、周波数ダイバーシティ利得を得ることができる。
【００２６】
ＰＵＣＣＨ上に伝送されるＵＬ制御情報は、ＨＡＲＱ  ＡＣＫ／ＮＡＣＫ、ＤＬチャネル状態を表すＣＱＩ（ｃｈａｎｎｅｌ  ｑｕａｌｉｔｙ  ｉｎｄｉｃａｔｏｒ）、ＵＬ無線資源割当要求であるＳＲ（ｓｃｈｅｄｕｌｉｎｇ  ｒｅｑｕｅｓｔ）などを含むことができる。
【００２７】
ＰＵＳＣＨは、伝送チャネルであるＵＬ−ＳＣＨにマッピングされる。ＰＵＳＣＨ上に伝送されるＵＬデータは、ＴＴＩの間に伝送されるＵＬ−ＳＣＨのためのデータブロックである伝送ブロックでありうる。伝送ブロックは、ユーザ情報でありうる。または、ＵＬデータは、多重化された（ｍｕｌｔｉｐｌｅｘｅｄ）データでありうる。多重化されたデータは、ＵＬ−ＳＣＨのための伝送ブロックと制御情報とが多重化して得られたデータでありうる。例えば、データに多重化される制御情報は、ＣＱＩ、ＰＭＩ（ｐｒｅｃｏｄｉｎｇ  ｍａｔｒｉｘ  ｉｎｄｉｃａｔｏｒ）、ＨＡＲＱ、ＲＩ（ｒａｎｋ  ｉｎｄｉｃａｔｏｒ）などを含むことができる。または、ＵＬデータは、制御情報のみで構成されることもできる。
【００２８】
搬送波集合（Ｃａｒｒｉｅｒ  ａｇｇｒｅｇａｔｉｏｎ：ＣＡ）が記述される。これは、３ＧＰＰ  ＴＳ  ３６．３００  Ｖ１１．６．０の第５．５節を参照することができる（２０１３−０６）。
【００２９】
ＣＡにおいて、２つまたはそれ以上の構成搬送波（ｃｏｍｐｏｎｅｎｔ  ｃａｒｒｉｅｒ：ＣＣ）が１００ＭＨｚまたはそれ以上に達するより広い伝送帯域幅を支援するために集合される。ＵＥは、その能力によって単一または多重のＣＣを受信するか、送信することができる。ＣＡに対して単一なタイミングアドバンス（ｔｉｍｉｎｇ  ａｄｖａｎｃｅ）能力を有するＵＥは、同じタイミングアドバンスを共有する多重のサービングセル（１つのタイミングアドバンスグループ（ＴＡＧ）内でグループをなす多重のサービングセル）に該当する多重のＣＣ上で同時に受信及び／又は送信を行うことができる。ＣＡに対して多重のタイミングアドバンス能力を有するＵＥは、互いに異なるタイミングアドバンスを共有する多重のサービングセル（多重のＴＡＧ内でグループをなす多重のサービングセル）に該当する多重のＣＣ上で同時に受信及び／又は送信を行うことができる。Ｅ−ＵＴＲＡＮは、各ＴＡＧが少なくとも１つのサービングセルを含むことを保障する。ＣＡ能力を有さないＵＥは、単一ＣＣ上で受信し、１つのサービングセルにのみ該当する単一ＣＣ上で送信することができる（１つのＴＡＧに１つのサービングセル）。
【００３０】
サービングセルは、下りリンク及び選択的に上りリンク資源の組み合わせである。すなわち、サービングセルは、１つのＤＬ  ＣＣと１つのＵＬ  ＣＣとを含むことができる。他の方式として、サービングセルは、１つのＤＬ  ＣＣで構成されることができる。ＣＡは、複数のサービングセルを有することができる。前記複数のサービングセルは、１つの１次サービングセル（ＰＣｅｌｌ）及び少なくとも１つの２次サービングセル（ＳＣｅｌｌ）で構成されることができる。ＰＵＣＣＨ伝送、任意接近手順などは、ＰＣｅｌｌのみで行われることができる。
【００３１】
図６は、３ＧＰＰ  ＬＴＥ−Ａの搬送波集合（ｃａｒｒｉｅｒａｇｇｒｅｇａｔｉｏｎ）の例を見せる。図６に示すように、各ＣＣは、２０ＭＨｚの帯域幅を有し、これは、３ＧＰＰ  ＬＴＥの帯域幅である。５個までのＣＣまたはそれ以上が集合され得るし、したがって、最大１００ＭＨｚの帯域幅またはそれ以上が構成され得る。
【００３２】
ＣＡは、隣接及び非隣接ＣＣの全てで支援され、各ＣＣは、周波数ドメインで数霊学（ｎｕｍｅｒｏｌｏｇｙ）Ｒｅｌ−８／９を使用して最大１１０ＲＢに制限される。
【００３３】
ＵＥが、同じｅＮＢ及びＵＬ及びＤＬでの互いに異なる可能な、互いに異なる帯域幅の、互いに異なる数のＣＣを集合するように構成することも可能である。構成できるＤＬ  ＣＣの個数は、ＵＥのＤＬ集合能力によって変わる。構成できるＵＬ  ＣＣの個数は、ＵＥのＵＬ集合能力によって変わる。一般的なＴＤＤ配置において、ＣＣの個数とＵＬ及びＤＬで各ＣＣの帯域幅は同一である。構成できる複数のＴＡＧは、ＵＥのＴＡＧ能力によって変わる。
【００３４】
同じｅＮＢから由来するＣＣが同じカバレッジを提供する必要はない。
【００３５】
ＣＣは、ＬＴＥ  Ｒｅｌ−８／９と互換性を有するようになるであろう。それにもかかわらず、Ｒｅｌ−８／９  ＵＥがＣＣ上に位置することを避けるために、既存のメカニズム（例えば、バーリング（ｂａｒｒｉｎｇ））が使用され得る。
【００３６】
隣接するように集合されたＣＣの中心周波数間の間隔は、３００ｋＨｚの倍数になるべきであろう。これは、Ｒｅｌ−８／９の１００ｋＨｚ周波数ラスタと互換性を有するようにし、同時に１５ｋＨｚの間隔を有する副搬送波の直交性を保存するためである。集合のシナリオによって、ｎ×３００ｋＨｚ間隔は、隣接するＣＣ間に使用されない少ない数の副搬送波を挿入することにより、さらに容易に実現されることができる。
【００３７】
ＴＤＤ  ＣＡに対して、下りリンク／上りリンク構成は、同じ帯域にある構成搬送波にわたって同様であり、互いに異なる帯域にある構成搬送波にわたっては同様であるか、互いに異なることができる。
【００３８】
二重連結が記述される。
【００３９】
図７は、大型セル及び小型セルへの二重連結の例を示す。図７に示すように、ＵＥは、大型セル及び小型セルの両方に連結されている。大型セルにサービスを提供する大型セルｅＮＢは、二重連結でＭｅＮＢであり、小型セルにサービスを提供する小型セルｅＮＢは、二重連結でＳｅＮＢである。前記ＭｅＮＢは、少なくともＳ１−ＭＭＥを終結させるｅＮＢであり、したがって、二重連結でのＣＮに向かう移動性アンカとして作用する。大型ｅＮＢが存在する場合、前記大型ｅＮＢは、一般的にＭｅＮＢとして機能することができる。ＳｅＮＢは、ＵＥに対する追加的な無線資源を提供するｅＮＢであり、二重連結では、ＭｅＮＢではない。前記ＳｅＮＢは、一般的に最善の努力（ＢＥ）類型のトラフィックを伝送するように構成することができ、それに対し、前記ＭｅＮＢは、ＶｏＩＰ、ストリーミングデータ、または信号処理データのような他の類型のトラフィックを伝送するように構成することができる。ＭｅＮＢ及びＳｅＮＢ間のインタフェースは、Ｘｎインタフェースと呼ばれる。前記Ｘｎインタフェースは、理想的でないことと仮定され、言い替えれば、Ｘｎインタフェースでの遅延が６０ｍｓに達することがある。
【００４０】
３ＧＰＰ  ＬＴＥの現在規格による上りリンクパワー制御が記述される。これに対しては、３ＧＰＰ  ＴＳ  ３６．２１３  Ｖ１１．３．０の第５．１節を参照することができる（２０１３−０６）。ＰＵＳＣＨに対して、伝送パワーＰ＾PUSCH、c（ｉ）は、まず、０でないＰＵＳＣＨ伝送を有するアンテナポートの個数に対する該当伝送体制に対して構成されたアンテナポートの個数の比により大きさが調節される。結果として、大きさが調節されたパワーは、さらにその上で前記０でないＰＵＳＣＨが伝送されるアンテナポートにわたって同一に分割される。ＰＵＣＣＨまたはサウンディング参照信号（ＳＲＳ；ｓｏｕｎｄｉｎｇ  ｒｅｆｅｒｅｎｃｅ  ｓｉｇｎａｌ）に対して、前記伝送パワーＰ＾PUCCH（ｉ）またはＰ＾SRS、c（ｉ）は、ＰＵＣＣＨまたはＳＲＳに対して構成されたアンテナポートに対して同一に分割される。Ｐ＾SRS、c（ｉ）は、ＰSRS、c（ｉ）の線形値である。
【００４１】
ＰＵＳＣＨに対する上りリンクパワー制御が記述される。ＰＵＳＣＨ伝送に対するＵＥ伝送パワーの設定は、次のように定義される。ＵＥがサービングセルｃに対して同時にＰＵＣＣＨを伝送しないながらＰＵＳＣＨを伝送する場合、サービングセルｃに対するサブフレームｉでのＰＵＳＣＨ伝送に対するＵＥ伝送パワーＰPUSCH、c（ｉ）は、数式１により与えられる。
【００４２】
＜数式１＞
【数１】
0006668242.tif 000002
【００４３】
前記ＵＥがサービングセルｃに対してＰＵＳＣＨをＰＵＣＣＨと同時に伝送する場合、サービングセルｃに対するサブフレームｉでのＰＵＳＣＨ伝送のためのＵＥ伝送パワーＰPUSCH、c（ｉ）は、数式２により与えられる。
【００４４】
＜数式２＞
【数２】
0006668242.tif 000003
【００４５】
ＵＥがＰＵＳＣＨに対するＤＣＩ様式３／３Ａとして受信した伝送パワー制御（ＴＰＣ）命令の蓄積のために、サービングセルｃに対するＰＵＳＣＨを伝送しない場合、前記ＵＥは、サービングセルｃに対するサブフレームｉでのＰＵＳＣＨ伝送のためのＵＥ伝送パワーＰPUSCH、c（ｉ）は、数式３により計算されることと仮定することができる。
【００４６】
＜数式３＞
【数３】
0006668242.tif 000004
【００４７】
前述された数式等において、ＰCMAX、c（ｉ）は、サービングセルｃに対するサブフレームｉでの構成されたＵＥ伝送パワーであり、Ｐ＾CMAX、c（ｉ）は、ＰCMAX、c（ｉ）の線形値である。Ｐ＾PUCCH（ｉ）は、下記において説明されるＰPUCCH（ｉ）の線形値である。ＭPUSCH、c（ｉ）は、サブフレームｉ及びサービングセルｃに対して有効な資源ブロックの個数として表現されるＰＵＳＣＨ資源指定の帯域幅である。ＰO_PUSCH、c（ｊ）は、サービングセルｃに対してｊ＝０及び１に対する上位階層から提供されるコンポーネントＰO_NOMINAL_PUSCH、c（ｊ）とｊ＝０及び１に対する上位階層から提供されるコンポーネントＰO_UE_PUSCH、c（ｊ）との合計で構成されるパラメータである。ＰＬcは、サービングセルｃに対するＵＥにおいてｄＢ単位で計算された下りリンク経路損失評価であり、ＰＬc＝ｒｅｆｅｒｅｎｃｅＳｉｇｎａｌＰｏｗｅｒ（上位階層でフィルタリングされた基準信号受信パワー）（ＲＳＲＰ）であって、このとき、ｒｅｆｅｒｅｎｃｅＳｉｇｎａｌＰｏｗｅｒは、上位階層により提供され、ＲＳＲＰ及び前記上位階層フィルタリング構成は、前記基準サービングセルに対して定義される。サービングセルｃが１次セルを含むタイミングアドバンスグループ（ＴＡＧ）に属する場合、前記１次セルの上りリンクに対して、前記１次セルは、ｒｅｆｅｒｅｎｃｅＳｉｇｎａｌＰｏｗｅｒ及び上位階層によりフィルタリングされたＲＳＲＰを決定するための基準サービングセルとして使用される。２次セルの上りリンクに対して、上位階層パラメータｐａｔｈｌｏｓｓＲｅｆｅｒｅｎｃｅＬｉｎｋｉｎｇにより構成されたサービングセルがｒｅｆｅｒｅｎｃｅＳｉｇｎａｌＰｏｗｅｒ及び上位階層でフィルタリングされたＲＳＲＰを決定するための基準サービングセルとして使用される。サービングセルｃが１次セルを含まないＴＡＧに属する場合には、サービングセルｃがｒｅｆｅｒｅｎｃｅＳｉｇｎａｌＰｏｗｅｒ及びさらに上位階層フィルタリングされたＲＳＲＰを決定するための基準サービングセルとして使用される。
【００４８】
ＵＥの全体伝送パワーがＰ＾CMAX（ｉ）を超過するならば、ＵＥは、サブフレームｉ内のサービングセルｃに対するＰ＾PUSCH、c（ｉ）の大きさを調節して数式４が満たされるようにする。
【００４９】
＜数式４＞
【数４】
0006668242.tif 000005
【００５０】
数式４において、Ｐ＾PUCCH（ｉ）は、ＰPUCCH（ｉ）の線形値、Ｐ＾PUSCH、c（ｉ）は、ＰPUSCH、c（ｉ）の線形値、Ｐ＾CMAX（ｉ）は、サブフレームｉでＵＥの構成された合計最大出力パワーＰCMAXの線形値であり、ｗ（ｉ）は、サービングセルｃに対するＰ＾PUSCH、c（ｉ）のスケーリング因子であって、このとき、０≦ｗ（ｉ）≦１である。サブフレームｉ内にＰＵＣＣＨ伝送がない場合、Ｐ＾PUCCH（ｉ）＝０である。
【００５１】
ＵＥが、サービングセルｊ上で上りリンク制御情報（ＵＣＩ）があるＰＵＳＣＨ伝送及び残っているいかなるサービングセルでもＵＣＩがないＰＵＳＣＨを有し、また、ＵＥの合計送信パワーがＰ＾CMAX（ｉ）を超過しようとする場合、前記ＵＥは、数式５を満たすようにサブフレームｉでＵＣＩを有さないサービングセルに対するＰ＾PUSCH、c（ｉ）の大きさを調整する。
【００５２】
＜数式５＞
【数５】
0006668242.tif 000006
【００５３】
Ｐ＾PUSCH、j（ｉ）は、ＵＣＩがあるセルに対するＰＵＳＣＨ伝送パワーであり、ｗ（ｉ）は、ＵＣＩを有さないサービングセルｃに対するＰ＾PUSCH、c（ｉ）のスケーリング因子である。このような場合に、
【数６】
0006668242.tif 000007
でなく、前記ＵＥの合計送信パワーが依然としてＰ＾CMAX（ｉ）を超過しようとする場合でない場合には、いかなるパワー大きさ調節もＰ＾PUSCH、j（ｉ）に適用されない。ｗ（ｉ）＞０であるとき、ｗ（ｉ）値がサービングセル等にわたって同一でありうるが、特定のサービングセル等に対してはｗ（ｉ）が０になり得るということに留意しなければならない。
【００５４】
前記ＵＥが、サービングセルｊ上にＵＣＩがあるＰＵＣＣＨとＰＵＳＣＨ伝送及びいかなる残余サービングセルにもＵＣＩがないＰＵＳＣＨ伝送を同時に有する場合に、また、ＵＥの全体伝送パワーがＰ＾CMAX（ｉ）を超過しようとする場合、前記ＵＥは、数式６によるＰ＾PUSCH、c（ｉ）を取得する。
【００５５】
＜数式６＞
【数７】
0006668242.tif 000008
【００５６】
前記ＵＥが多重のＴＡＧ等で構成され、ＴＡＧ内の与えられたサービングセルに対するサブフレームｉ上での前記ＵＥのＰＵＣＣＨ／ＰＵＳＣＨ伝送が、さらに他のＴＡＧ内の他のサービングセルに対するサブフレームｉ＋１上のＰＵＳＣＨ伝送の最初シンボルの一部と重なる場合、前記ＵＥは、重なるいかなる部分上でもＰCMAXを超過しないように自分の全体伝送パワーを調節するようになるであろう。
【００５７】
前記ＵＥが多重のＴＡＧ等で構成され、ＴＡＧ内の与えられたサービングセルに対するサブフレームｉ上での前記ＵＥのＰＵＳＣＨ伝送が、さらに他のＴＡＧ内の他のサービングセルに対するサブフレームｉ＋１上のＰＵＣＣＨ伝送の最初のシンボルの一部と重なる場合、前記ＵＥは、重なるいかなる部分上でもＰCMAXを超過しないように自分の全体伝送パワーを調節するようになるであろう。
【００５８】
前記ＵＥが多重のＴＡＧ等で構成され、ＴＡＧ内の与えられたサービングセルに対するサブフレームｉ上のシンボルでの前記ＵＥのＳＲＳ伝送が同一であるか、さらに他のＴＡＧ内の他のサービングセルに対するサブフレームｉ＋１上のＰＵＣＣＨ／ＰＵＳＣＨ伝送と重なる場合、前記ＵＥは、シンボルの重なるいかなる部分上で自分の全体伝送パワーがＰCMAXを超過するようになると、ＳＲＳを脱落させることになるであろう。
【００５９】
前記ＵＥが多重のＴＡＧ等及び２個を越えるサービングセルで構成され、与えられたサービングセルに対するサブフレームｉ上のシンボルでの前記ＵＥのＳＲＳ伝送が、互いに異なるサービングセル（等）上のサブフレームｉ上のＳＲＳ伝送及びさらに他のサービングセル（等）に対するサブフレームｉまたはサブフレームｉ＋１上のＰＵＳＣＨ／ＰＵＣＣＨ伝送と重なる場合、前記ＵＥは、シンボルの重なるいかなる部分上で自分の全体伝送パワーがＰCMAXを超過するようになると、前記ＳＲＳ伝送を脱落させることになるであろう。
【００６０】
前記ＵＥが多重のＴＡＧ等で構成された場合、前記ＵＥは、上位階層により２次サービングセル内の物理任意接続チャネル（ＰＲＡＣＨ）を他のＴＡＧに属する互いに異なるサービングセルのサブフレーム上のシンボルでのＳＲＳ伝送と並行して伝送するようにする要求を受けると、シンボルの重なるいかなる部分上で自分の全体伝送パワーがＰCMAXを超過するようになる場合に、ＳＲＳを脱落させるであろう。
【００６１】
前記ＵＥが多重のＴＡＧ等で構成された場合、前記ＵＥは、上位階層により２次サービングセル内のＰＲＡＣＨを他のＴＡＧに属する互いに異なるサービングセル内のＰＵＳＣＨ／ＰＵＣＣＨと並行して伝送するようにする要求を受けると、シンボルの重なるいかなる部分上でも自分の全体伝送パワーがＰCMAXを超過しないようにＰＵＳＣＨ／ＰＵＣＣＨの伝送パワーを調節するようになるであろう。
【００６２】
ＰＵＣＣＨに対する上りリンクパワー制御が記述される。サービングセルｃが１次セルである場合、サブフレームｉ内のＰＵＣＣＨ伝送のためのＵＥ伝送パワーＰPUCCHの設定は、数式７により定義される。
【００６３】
＜数式７＞
【数８】
0006668242.tif 000009
【００６４】
ＵＥが１次セルに対するＰＵＣＣＨを伝送していない場合には、ＰＵＣＣＨに対するＤＣＩ様式３／３Ａとして受信されたＴＰＣ命令の蓄積のために、前記ＵＥは、サブフレームｉでのＰＵＣＣＨ伝送に対するＵＥ伝送パワーＰPUCCHが数式８により計算されることと仮定することになるであろう。
【００６５】
＜数式８＞
【数９】
0006668242.tif 000010
【００６６】
前述された数式等において、ＰCMAX、c（ｉ）は、サービングセルｃに対するサブフレームｉで構成されたＵＥである。パラメータΔF_PUCCH（Ｆ）は、上位階層により提供される。前記ＵＥが２つのアンテナポート上でＰＵＣＣＨを伝送するように上位階層により構成された場合、ΔTxD（Ｆ’）の値は、上位階層により提供される。そうでない場合、ΔTxD（Ｆ’）＝０である。ｈ（ｎCQI、ｎHARQ、ｎSR）は、ＰＵＣＣＨフォーマットに依存する値であって、ここで、ｎCQIは、チャネル品質情報（ＣＱＩ）に対する情報ビットの個数に該当する。サブフレームｉがＵＬ−ＳＣＨに対するいかなる連関した伝送ブロックも有していないＵＥに対するＳＲのために構成された場合、ｎSR＝１であり、そうでない場合、ｎSR＝０＝０である。ＰO_PUCCHは、上位階層により提供されるパラメータＰO_NOMINAL_PUCCH及び上位階層により提供されるパラメータＰO_UE_PUCCHの合計で構成されるパラメータである。
【００６７】
以下では、本発明の実施形態に係る上りリンクパワーの制御のための方法が説明される。本発明の一実施形態は、ＵＥに対してインタサイト（ｉｎｔｅｒ−ｓｉｔｅ）搬送波集合が使用されるときのパワー制御の側面を提案することができる。インタサイト搬送波集合は、少なくとも２つの搬送波が理想的なバックホールまたは理想的でないバックホールに連結することができる別のｅＮＢ等と連関する場合、ＵＥが多重の搬送波で構成されることと定義することができる。ＵＥが２つのＵＬ伝送（ＰＵＳＣＨ／ＰＵＣＣＨを含む）を同時に行うことができるときは、次のような場合が考慮され得る。
【００６８】
・事例１：理想的バックホールにわたってＦＤＤ＋ＦＤＤまたは同じＤＬ／ＵＬ構成ＴＤＤ＋ＴＤＤ
【００６９】
・事例２：理想的でないバックホールにわたってＦＤＤ＋ＦＤＤまたは同じＤＬ／ＵＬ構成ＴＤＤ＋ＴＤＤ
【００７０】
・事例３：理想的ＦＤＤ＋ＴＤＤまたは互いに異なるＤＬ／ＵＬ構成ＴＤＤ＋ＴＤＤ
【００７１】
・事例４：理想的でないＦＤＤ＋ＴＤＤまたは互いに異なるＤＬ／ＵＬ構成ＴＤＤ＋ＴＤＤ
【００７２】
ＵＥが２つのＵＬ伝送を同時に行うことができなければ、次のような場合が考慮され得る。
【００７３】
・事例５：理想的ＦＤＤ＋ＦＤＤまたは同じＤＬ／ＵＬ構成ＴＤＤ＋ＴＤＤ
【００７４】
・事例６：理想的でないＦＤＤ＋ＦＤＤまたは同じＤＬ／ＵＬ構成ＴＤＤ＋ＴＤＤ
【００７５】
・事例７：理想的ＦＤＤ＋ＴＤＤまたは互いに異なるＤＬ／ＵＬ構成ＴＤＤ＋ＴＤＤ
【００７６】
・事例８：理想的でないＦＤＤ＋ＴＤＤまたは互いに異なるＤＬ／ＵＬ構成ＴＤＤ＋ＴＤＤ
【００７７】
本発明の一実施形態は、各ｅＮＢに対するパワー制御が別に管理される場合に重点を置くであろう。２つ以上のＣＣが１つのｅＮＢ内で構成される場合、３ＧＰＰ  ＬＴＥ  ｒｅｌ−１１で使用された上りリンクパワー制御をｅＮＢ間搬送波等に適用することができる。より詳しくは、本発明の一実施形態は、パワーリミテッドケース（ｐｏｗｅｒ  ｌｉｍｉｔｅｄ  ｃａｓｅ）が発生するとき、各搬送波グループが搬送波グループ内で使用され得る最大パワーとして指定される場合を考慮するであろう（すなわち、全ての上りリンクチャネルに対して必要なパワーの合計がＵＥに対する最大パワーを超過する場合）。また、本発明の一実施形態は、搬送波グループ当たり、要求された全体パワーが全体ＵＥパワーを超過するとき、全体ＵＥパワーをいかに活用するかを提案するであろう。また、本発明の一実施形態は、搬送波グループ当たり、留保された最小のパワーをいかに活用するか、及び搬送波グループ間で割り当てられていない残余パワーをいかに共有するかを提案するであろう。また、本発明の一実施形態は。ＰＲＡＣＨ及びＰＵＣＣＨのような物理チャネル当たり、パワー割当をいかに処理するかを提案するであろう。本発明の実施形態等が提案する前記説明は、さらに単一ｅＮＢが２つ以上の搬送波グループを維持する前述された事例１または事例３のような場合にも適用され得る。ＵＥが単一ｅＮＢにより構成されているとき、本発明は、例えば、他のパラメータを含むなどのように、異なるように適用されることができる。言い替えれば、本発明は、単一ｅＮＢにより構成される搬送波グループ等に対して、必要な場合、一部説明と変更を介して適用され得るであろう。
【００７８】
以下では、便宜上、２つ以上の搬送波グループが単一ｅＮＢにより構成された場合を「ＰＵＣＣＨオフロード（ｏｆｆｌｏａｄｉｎｇ）」と記述し、このとき、各搬送波グループは、ＰＵＣＣＨを受信する搬送波を有することができる。各搬送波グループは、ＰＵＣＣＨ搬送波の個数が搬送波グループ当たり、１つに制限されることができるが、多重の搬送波を有することができる。
【００７９】
また、パワーが各搬送波グループまたはｅＮＢによって割り当てられ、１つの搬送波グループが、例えば、無線リンク失敗（ＲＬＦ）または低い性能のため、除去されれば、再構成をしなくても当該パラメータが有効でなくなると仮定することができる。例えば、最小限の保障されたパワーがＭｅＮＢ及びＳｅＮＢに各々２０％ずつ割り当てられると仮定される。ＲＬＦのため、前記ＳｅＮＢが再構成されるとき、前記ＳｅＮＢが再構成されるまでは、パワー割当がＵＥにより使用されないであろう（したがって、ＳｅＮＢに対して留保されるパワーは発生しないであろう）。言い替えれば、搬送波グループ当たり、またはｅＮＢ当たり、パワー割当は、２つの搬送波グループまたは２つのｅＮＢが活性化されているときにのみ有効であろう。そうでない場合、前記ＵＥは、このようなパラメータを無視するであろう。これは、あたかも搬送波グループが変化したり、ＳｅＮＢが変化するとき、ＵＥが異なるパワー割当として「再構成」されたと解析されることができる（例えば、ＭｅＮＢまたはＰＣｅｌｌを有する第１の搬送波グループに１００％を指定）。
【００８０】
１．本発明の一実施形態によって、ｅＮＢ当たり、または搬送波グループ当たり、最大パワーで構成されたＰCMAXを割り当てる方法が記述される。この方法によれば、各ｅＮＢまたは各搬送波グループに対するＰCMAXが半静的に（ｓｅｍｉ−ｓｔａｔｉｃａｌｌｙ）構成されることができる。
【００８１】
本発明の一実施形態によれば、２つ以上のｅＮＢがＵＥにサービスを提供するとき、使用可能な最大パワーは、各ｅＮＢにより別に、または各ｅＮＢに対して別に構成されることができる。または、使用可能な最大パワーは、ＰＣｅｌｌが属する搬送波グループで、またスーパーＳＣｅｌｌ（または、マスタＳＣｅｌｌ）が属するグループ（等）で別に構成されることができる。言い替えれば、別の最大パワーは、各ｅＮＢまたは各搬送波グループに対して維持される。以下では、本発明の一実施形態によって、各ｅＮＢまたは搬送波グループに対して使用可能な最大パワーは、ＰCMAX、eNBjとして表示され、ＵＥに対する最大パワーは、ＰCMAXとして表示される。例えば、２つのｅＮＢ、すなわち、ｅＮＢ１及びｅＮＢ２が前記ＵＥにサービスを提供すると仮定すれば、各ｅＮＢは、自分の条件及び他の因子によって互いに異なる使用可能な最大パワーを構成することができる。他の方式として、第２の搬送波グループ（例えば、ｅＮＢ２）に対して使用可能な最大パワーのみがｅＮＢ１により割り当てられることができ、全ての残余パワー（ＰCMAX：第２の搬送波グループ（または他のグループ）に割り当てられた最大パワー）が第１の搬送波グループに対して活用され得る。他の方式として、第１の搬送波グループ（すなわち、ｅＮＢ１）に対して使用可能な最大パワーのみがｅＮＢ１により割り当てられることができ、全ての残余パワーは、第２の搬送波グループに対して活用され得る。
【００８２】
以下では、第１の搬送波グループ（または、第１のｅＮＢ）に対する最大パワー及び第２の搬送波グループ（または、第２のｅＮＢ）に対する最大パワーが各々ＰCMAX、eNB1及びＰCMAX、eNB2と呼ばれるであろう。ＰCMAX、eNB1≦ＰCMAX及びＰCMAX、eNB2≦ＰCMAXである。最大パワー縮小（ＭＰＲ）を考慮したその構成によって、前記ＵＥは、ＰCMAX、eNB1及びＰCMAX、eNB2を計算することができ、前記計算された最大パワーを２つのｅＮＢに報告することができる。不要な交差搬送波グループ電力縮小（ｐｏｗｅｒ  ｓｃａｌｉｎｇ）の問題を避けるために、２つのｅＮＢの両方に対する最大パワーの合計がＰCMAXを超過しないようにする。すなわち、ＰCMAX＝ＰCMAX、eNB1＋ＰCMAX、eNB2である。これを保障するために、前記ＵＥがただ１つの最大パワー、すなわち、ＰCMAX、eNB1またはＰCMAX、eNB2のうち、１つのみで構成され、他の最大パワーは、前記ＵＥに対する最大パワーに基づいて計算することが考慮され得る。
【００８３】
他の方式として、ＵＥが両ｅＮＢに対する最大パワーとして構成されるとしても、両ｅＮＢに対する最大パワーの合計がＰCMAXを超過する場合、１つのｅＮＢに基づいた他のｅＮＢ上の適切な電力縮小が考慮され得る。より詳しくは、前記電力縮小は、前記ＵＥがパワーリミテッドケースを経る場合にのみ適用されることができる。例えば、ＰCMAX、eNB1＋ＰCMAX、eNB2＞ＰCMAXである場合、前記ＵＥは、ＰCMAX、eNB1またはＰCMAX、eNB2のうち、いずれか１つを取ることができ、残った最大パワーは、ｍｉｎ｛ＰCMAX−ＰCMAX、eNB1、ＰCMAX、eNB2｝に基づいて調節される。どのｅＮＢパワーを変更されていない元のものに取るかに対することが構成され得る。または、ＭｅＮＢが常に維持されるか、またはＳｅＮＢが常に維持され得る。このような場合、前記ＵＥは、このような状況をＭｅＮＢに表して、前記ＭｅＮＢが各ｅＮＢまたは各搬送波グループに対して使用可能な最大パワーを再構成するようにすることができる。前記ＭｅＮＢがＰCMAX、eNB2のみを割り当てる場合、前記ＵＥは、ＰCMAX、eNB1＝ＰCMAX−ＰCMAX、eNB2であることと仮定し、ＰCMAX、eNB1を前記ＭｅＮＢに報告することができる。
【００８４】
各搬送波グループが構成された多重の搬送波を有する場合、各搬送波に対して割り当てられた最大パワーは、全体搬送波グループに割り当てられた最大パワーより小さいことができる。そうでない場合、前記ＵＥは、２つの値のうち、最小値を搬送波当たり、最大パワーとして仮定することができる。このパラメータ等は、ターゲットｅＮＢへのいかなる上りリンク伝送に対しても使用されることができる。例えば、ｅＮＢ１へのいかなる上りリンク伝送もＰCMAX、eNB1を前記ｅＮＢ１に対する最大パワーとして使用することができ、ｅＮＢ２へのいかなる上りリンク伝送もＰCMAX、eNB2を前記ｅＮＢ２に対する最大パワーとして使用することができる。各ｅＮＢが多重のＣＣ等を構成する場合、ｅＮＢ内でのパワー制御は、３ＧＰＰ  ＬＴＥ  ｒｅｌ−１１で使用された上りリンクパワー制御にしたがって行われることができる。他の方法として、ＰCMAX、eNB1及びＰCMAX、eNB2の信号が前記ｅＮＢ等に別に送られることができる。または、２つのｅＮＢ間の百分率の構成も、ＵＥが前記ＵＥに対する最大パワーを構成された比率に基づいてそれぞれのｅＮＢに分けるように構成されることができる。例えば、前記構成された比率が２つのｅＮＢ間で８０％／２０％である場合、前記ＵＥに対して構成された最大パワーの８０％は、ｅＮＢ１への伝送のために使用され、前記ＵＥに対して構成された最大パワーの２０％は、ｅＮＢ２への伝送のために各々使用されることができる。
【００８５】
ＰCMAX、eNB1及びＰCMAX、eNB2は、２つのｅＮＢ間で交換されることができる。前記ＭｅＮＢは、このような情報をＳｅＮＢに暗示的にまたは明示的に知らせることができる。ＵＥがこのような値で構成されたとき、前記ＵＥは、これをＳｅＮＢに暗示的に知らせることができる。
【００８６】
各搬送波グループ／ｅＮＢでの各チャネル／信号に対する個別的なパワー制御は、３ＧＰＰ  ＬＴＥ  ｒｅｌ−１１で使用された上りリンクパワー制御をしたがうことができる。各信号に対するパワーが決定されれば、同じｅＮＢに属するＣＣ等に対して、次のように、電力縮小が行われ得る。詳細な機能が下記の説明により制限されない。しかし、原則的に、パワー制御は、各ｅＮＢに対して別に行われることができ（例えば、ＭｅＮＢ／ＳｅＮＢまたは独立的に行うｅＮＢ／補助ｅＮＢ）、３ＧＰＰ  ＬＴＥ  ｒｅｌ−１１で使用された上りリンクパワー制御がそれぞれのパワー制御ループに適用され得る。
【００８７】
Ｐ＾CMAX、eNBj（ｉ）がｅＮＢｊに対して構成され、ＵＥの合計伝送パワーがＰ＾CMAX、eNBj（ｉ）を超過しようとする場合、前記ＵＥは、数式９が満たされるようにサブフレームｉ内のｅＮＢｊに属するサービングセルに対するＰ＾PUSCH、eNBj、c（ｉ）を調節する。
【００８８】
＜数式９＞
【数１０】
0006668242.tif 000011
【００８９】
数式９において、Ｐ＾PUCCH、eNBj（ｉ）は、ＰPUCCH、eNBj（ｉ）の線形値、Ｐ＾PUSCH、eNBj、c（ｉ）は、ＰPUSCH、eNBj、c（ｉ）の線形値、Ｐ＾CMAX、eNBj（ｉ）は、ＵＥの構成された合計最大出力パワーＰCMAX、eNBjの線形値であり、ｗ（ｉ）は、サービングセルｃに対するＰ＾PUSCH、eNBj、c（ｉ）のスケーリング因子であり、このとき、０≦ｗ（ｉ）≦１である。サブフレームｉ内にＰＵＣＣＨ伝送がない場合、Ｐ＾PUCCH、eNBj（ｉ）＝０である。
【００９０】
そうでない場合、Ｐ＾CMAX、eNB1-j（ｉ）がｅＮＢ1-jに対して構成されれば、Ｐ＾CMAX、eNBj（ｉ）＝ＰCMAX−Ｐ＾CMAX、eNB1-j（ｉ）になる。ＵＥの全体伝送パワーがＰ＾CMAX、eNBj（ｉ）を超過するようになると、前記ＵＥは、サブフレームｉ内のｅＮＢｊに属するサービングセルｃに対するＰ＾PUSCH、eNBj、c（ｉ）の大きさを調節して、前記記述した数式９が満たされるようにする。
【００９１】
言い替えれば、パワー制御は、各ｅＮＢに（ＭＡＣ（ｍｅｄｉａ  ａｃｃｅｓｓ  ｃｏｎｔｒｏｌ）毎に）、別に処理されることができ、これにより、ＰＵＣＣＨが１つのＣＣ（ＰＣｅｌｌまたはＰＣｅｌｌと同等なＣＣ）でのみ伝送される限り、多重のＣＣ及びｅＮＢ内のパワー制御が３ＧＰＰ  ＬＴＥ  ｒｅｌ−１１搬送波集合と同様に取り扱われることができるようになる。
【００９２】
また、ｅＮＢ内のパワー制御も必要でありうる。数式１０は、各ｅＮＢｊの全体パワーを見せる。
【００９３】
＜数式１０＞
【数１１】
0006668242.tif 000012
【００９４】
ｅＮＢ内のパワー制御の第１の条件として、全体パワー間のオフセットが考慮され得る。ｅＮＢ内のパワー制御のための第１の条件は、帯域の組み合わせによっては省略されることもできる。上りリンク帯域が互いに隣接しない場合、前記第１の条件は考慮されないことができる。特定的には、帯域間二重連結において、数式１１が満たされる場合に、第１の条件を満たしたものとみなされることができる。
【００９５】
＜数式１１＞
【数１２】
0006668242.tif 000013
【００９６】
数式１１において、Ｐthresholdは、上位階層によりシグナリングされるか、集合されたｅＮＢ等と合わせて集合された搬送波等の帯域組み合わせに基づいて計算されることができる。そうでない場合、電力縮小が数式１２によって再度適用され得る。
【００９７】
＜数式１２＞
【数１３】
0006668242.tif 000014
【００９８】
数式１２において、ｅＮＢ０は、ＭｅＮＢ（または、さらに高いパワーＵＬ伝送ターゲットｅＮＢ）であると仮定される。他の方式として、第１の条件が失敗すれば、前記ＵＥは、優先順位リスト(priority list)によって上りリンク信号を脱落させることができる。
【００９９】
ｅＮＢ内のパワー制御の第２の条件として、２つのパワーの合計が考慮され得る。２つのｅＮＢに対する全体パワーがＰCMAXを超過する場合、上りリンク信号が優先順位によって脱落され得る。または、電力縮小が同様に行われ得る。ＵＥが２つのＵＬ伝送を同時に行うことができないときには、第１／第２の条件は必要でないこともできる。
【０１００】
２．本発明の一実施形態によって、ｅＮＢ当たり、または搬送波グループ当たり、最小留保パワーで構成されたＰallocを割り当てる方法が記述される。
【０１０１】
本発明の一実施形態によれば、２つ以上のｅＮＢがＵＥにサービスを提供するとき、Ｐallocは、各ｅＮＢにより別にまたは各ｅＮＢに対して別に行われることができる。または、Ｐallocは、ＰＣｅｌｌが属する搬送波グループで、また、スーパーＳＣｅｌｌ（または、マスタＳＣｅｌｌ）が属するグループ（等）で別に構成されることができる。Ｐallocは、パワーリミテッドケースが発生する場合、搬送波グループ当たり、またはｅＮＢ当たり、最小の留保パワー割当を保障するために使用されることができる。言い替えれば、別の最小留保パワーは、各ｅＮＢまたは各搬送波グループに対して維持される。このようなパラメータは、ｅＮＢ当たり、使用可能な最大パワーまたはＰCMAX、cのような他のパラメータと合わせて使用されることができる。
【０１０２】
各搬送波グループ当たり、または各ｅＮＢ当たり、Ｐallocを割り当てるための様々な方法が下記のように考慮され得る。
【０１０３】
（１）ＭｅＮＢは、Ｐalloc、eNB1及びＰalloc、eNB2の両方を各々構成することができる。すなわち、前記ＭｅＮＢは、少なくとも１つの上りリンク伝送があるとき、各ｅＮＢに割り当てられた最小留保パワーを決定することができる。
【０１０４】
（２）Ｐallocは、ｅＮＢ当たり、最大使用可能な電力から類推されることができる。例えば、ＳｅＮＢに対するＰallocは、ｅＮＢ当たり、使用可能な最大パワーが構成される場合、ＰCMAX−ＰCMAX、MeNB（ＭｅＮＢに対するＰallocと類似するように）として計算されることができる。このような場合、パワーが制限された場合であるかに関わらず、各ｅＮＢは、ＰCMAX、eNBまでのパワーのみを活用することができ、ＰCMAX−ＰCMAX、eNBは、他のｅＮＢから以後に繋がるサブフレーム伝送のために留保され得る。
【０１０５】
（３）ＭｅＮＢ及びＳｅＮＢは、ＰallocをｅＮＢ毎に独立的に構成することができる。ＵＥは、２つの値の合計がＵＥに対する最大パワーを超過する場合、「誤った構成」を報告することがある。他の方式として、前記合計がＵＥに対する最大パワーを超過する場合に、前記ＵＥは、Ｐalloc、SeNB＝ＰCMAX−Ｐalloc、MeNB（残余パワーに設定）として計算して、この値がＵＥに対する最大パワーを超過しないようにすることができる。または、Ｐalloc、MeNB＝ＰCMAX−Ｐalloc、SeNBも考慮され得る。または、２つのｅＮＢのうち、いずれがパワーを減らすかをネットワークが構成することもさらに考慮され得る。また、各搬送波グループまたは各ｅＮＢに対する最小留保パワーが絶対値でない比率の形態で構成されることも考慮してみることができる。このような比率は、必要なＭＰＲ及びその他、縮小措置を適用した後にＵＥが構成した最大パワーに基づいて適用されることができる。他の方式として、２つの値の合計がＰCMAXを超過しない場合、前記比率は（２３ｄＢｍのような）、パワークラス当たり、ＵＥに対する最大パワーに基づいて適用されることができる。しかし、比率計算による２つの値の合計がＰCMAXを超過するようになると、前記比率は、ＰCMAXに基づいて適用されることができる。例えば、ＭＰＲのため、６ｄＢのパワー損失があり、比率が５０％／５０％である場合、ＵＥは、このような比率をＰCMAXに基づいて適用することができる。Ｐalloc、xeNBを適用するさらに他の接近方式は、ＭＰＲ及び全てのものは、Ｐalloc、xeNBを各搬送波グループ当たり、最大パワーとして設定することにより適用するものである。本明細書において説明された技術は、前述されたことと合わせてＰCMAX、xeNBにも適用されることができる。
【０１０６】
（４）ＵＥは、ｅＮＢ当たり、Ｐallocを決定し、その値を両ｅＮＢに報告することができる。前記ＵＥは、経路損失及び一部上位階層が構成したパワー制御パラメータに基づいて両ｅＮＢに対するＰallocを計算することができる。
【０１０７】
（５）ＭｅＮＢは、ＵＥがＳｅＮＢ伝送に対する最小留保パワーとして使用できる（ＳｅＮＢに対する）Ｐalloc、eNB2のみを構成することができる。パワーリミテッドケースが発生すれば（選択的にＵＥがＳｅＮＢへの少なくとも１つの上りリンク伝送を有する場合）、ＳｅＮＢに対する前記最小留保パワーが保障されなければならない。このような場合、ＭｅＮＢが、ＭｅＮＢに対する全てのパワーを構成することを望むならば、構成されたＰalloc、eNB2値は０になり得る。Ｐalloc、eNB2をＳｅＮＢに割り当てる動機は、パワーリミテッドケースが発生する場合、ＳｅＮＢへの最小留保パワーを保障することである。パワーリミテッドケースが発生する場合、Ｐalloc、eNB2がＳｅＮＢに対する基盤のパワーとして使用されて、ＳｅＮＢに向かって要求されるパワーがＰalloc、eNB2を超過するとき、少なくともＰalloc、eNB2パワーがＳｅＮＢに向かって使用されるようにすることができる。
【０１０８】
Ｐallocが構成されたら、次に記述された様々な方法にしたがってＰallocが活用され得る。例えば、ｅＮＢ当たり、ＰallocがＭｅＮＢ及びＳｅＮＢの両方に対して各々構成される場合、各搬送波グループまたは各ｅＮＢに対する最小留保パワーは、構成されたＰallocとして設定されることができる。未使用のパワー（＝ＰCMAX−Ｐalloc、eNB1−Ｐalloc、eNB2）に対し、パワー共有法則が適用され得る。２つの搬送波グループのうち、１つが最小留保パワーより小さいパワーを要求する場合、残余パワーが他の搬送波グループにより使用され得る。さらに他の例として、ｅＮＢ当たり、ＰallocがＳｅＮＢに対してのみ構成された場合、ＳｅＮＢに対する最小留保パワーは、構成されたＰalloc、SeNBとして設定されることができる。未使用のパワー（＝ＰCMAX−Ｐalloc、SeNB）に対し、パワー共有規則が適用され得る。類似した手順が、ＰallocがＭｅＮＢに対してのみ構成された場合に適用され得る。さらに他の例として、ＭｅＮＢに対するサブフレームｎ、及びＳｅＮＢに対するサブフレームｋで、ＭｅＮＢに対するサブフレームｎがＳｅＮＢに対するサブフレームｋ及びｋ＋１と重なると仮定する。少なくとも１つのサブフレームがＳｅＮＢに対するサブフレームｋまたはサブフレームｋ＋１のうち、１つで上りリンク伝送を有する場合、前記ＭｅＮＢに対する上りリンクパワーは、ＰCMAX−Ｐalloc、SeNBを超過してはならない。言い替えれば、ＳｅＮＢ伝送に対して、最小留保パワーが留保されなければならない。これは、少なくとも１つのサブフレームが構成当たり、上りリンクサブフレーム（ＳｅＮＢに対するサブフレームｋまたはサブフレームｋ＋１）である場合、ＵＥがＭｅＮＢ伝送にＰCMAX−Ｐalloc、SeNBを超過して割り当ててはならない場合に適用することができる。類似した条件がＭｅＮＢにも適用され得る。未使用のパワーに対し、パワー共有規則が適用され得る。パワー共有規則を適用した後、搬送波集合フレームワーク内で使用された電力縮小がグループ内で行われ得る。
【０１０９】
パワー共有規則を適用することが記述される。未使用の全てのパワーは、先にＭｅＮＢに指定されることができ、その後、ＭｅＮＢに割り当てられていない残余パワーが存在すれば、これは、ＳｅＮＢに指定されることができる。他の方式として、未使用の全てのパワーは、ＰＣｅｌｌに指定されることができ、その後、残余パワーがｓＰＣｅｌｌ（２次搬送波グループ（ＳＣＧ）内の特別なセル）に指定され得る。このような残余パワーが存在する場合、パワーは、ＭｅＮＢ及びＳｅＮＢに均等にまたは加重値を有して同等に指定されることができる。他の方式として、未使用の全てのパワーＭｅＮＢ／ＳｅＮＢに均等に指定されることができる。他の方式として、未使用の全てのパワーは、ＭｅＮＢ／ＳｅＮＢの加重値を有して指定されることができる（例えば、８０％／２０％）。他の方式として、未使用の全てのパワーは、ＭｅＮＢ／ＳｅＮＢ間のチャネル／ＵＣＩタイプ優先順位によって指定されることができる（例えば、ＰＲＡＣＨ≧ＰＵＣＣＨ＋ＳＲ≧ＰＵＣＣＨ＋ＨＡＲＱ−ＡＣＫ≧ＰＵＣＣＨ＋ＣＳＩ≧ＰＵＳＣＨ＋ＨＡＲＱ−ＡＣＫ≧ＰＵＳＣＨ＋ＣＳＩ≧ＰＵＳＣＨなど）。
【０１１０】
２つの搬送波グループ（または、２つのｅＮＢ）間のチャネル優先順位がより詳細に説明される。未使用のパワーは、２つの搬送波グループ間のパワー共有規則にしたがって割り当てられることができる。以下では、一部の例が説明される。
【０１１１】
・ＭｅＮＢ上のＰＲＡＣＨ／ＳｅＮＢ上のＰＲＡＣＨ：ＭｅＮＢ上のＰＲＡＣＨまたはＰＣｅｌｌは、常に優先順位が高くなるようにすることができる。ｅＮＢ当たり、Ｐallocは、ＰＲＡＣＨに対するパワーを制限しないことができる。言い替えれば、ＳｅＮＢへのＰＲＡＣＨ伝送は、Ｐallocの構成と関係なく、ＭｅＮＢへのＰＲＡＣＨ伝送後に未使用のパワーを使用することができる。ＳｅＮＢ上のＰＲＡＣＨが、要求されるパワーとして割り当てられることができない場合には、ＰＲＡＣＨが遅延されるか、脱落され得る。ＵＥがパワーリミテッドケースを経る場合、ＭｅＮＢまたはＳｅＮＢ（例えば、ＰＵＣＣＨまたはＰＲＡＣＨとは異なるもの）内の他のチャネルが脱落され得る。ＰＵＣＣＨまたはＰＲＡＣＨに対して、残余パワーは適用し続けられ（また、これによりパワーが縮小され）、伝送されることができる。
【０１１２】
・ＭｅＮＢ上のＰＲＡＣＨ／ＳｅＮＢ上のＰＵＣＣＨ：ＭｅＮＢ上のＰＲＡＣＨは、常に優先順位が高くなるようにすることができる。ｅＮＢ当たり、Ｐallocは、ＰＲＡＣＨに対するパワーを制限しないことができる。言い替えれば、ＳｅＮＢへのＰＵＣＣＨ伝送は、ＭｅＮＢへのＰＲＡＣＨ伝送後に、未使用のパワーを使用することができる。ＵＥがパワーリミテッドケースを経る場合、ＭｅＮＢまたはＳｅＮＢ（例えば、ＰＵＣＣＨまたはＰＲＡＣＨとは異なるもの）内の他のチャネルが脱落され得る。他の方式として、要求されたパワーが留保された最小パワーの構成と関係なく、割り当てられ得るように、ＳｅＮＢ上のＰＲＡＣＨがＰＵＣＣＨより高い優先順位を有することができる。
【０１１３】
・ＭｅＮＢ上のＰＵＣＣＨ／ＳｅＮＢ上のＰＲＡＣＨ：ＳｅＮＢへのＰＲＡＣＨ伝送は、（ＰCMAX−ＰPUCCH）を使用することができ、このとき、ＰPUCCH＝ｍｉｎ（ＰＵＣＣＨパワー、Ｐalloc、MeNB）である。言い替えれば、ＳｅＮＢへのＰＲＡＣＨ伝送は、ＭｅＮＢへのＰＵＣＣＨ伝送後、未使用のパワーを使用することができる。ＵＥがパワーリミテッドケースを経る場合、ＭｅＮＢまたはＳｅＮＢ（例えば、ＰＵＣＣＨまたはＰＲＡＣＨとは異なるもの）内の他のチャネルが脱落され得る。ＰＵＣＣＨまたはＰＲＡＣＨに対して、残余パワーは適用し続けられ（また、これによりパワーが縮小され）、伝送されることができる。
【０１１４】
・ＭｅＮＢ上のＰＵＣＣＨ／ＳｅＮＢ上のＰＵＣＣＨ：ｅＮＢ当たり、Ｐallocが２つのＰＵＣＣＨ伝送間のパワーを分割するために使用され得る。また、ＰCMAX、eNBが割り当てられれば、ｅＮＢ当たり、使用可能な最大がＰＵＣＣＨ伝送のためのパワーを決定するために使用され得る。同じ事項がＭｅＮＢ上のＨＡＲＱ−ＡＣＫを有するＰＵＣＣＨまたはＰＵＳＣＨ／ＳｅＮＢ上のＨＡＲＱ−ＡＣＫを有するＰＵＣＣＨまたはＰＵＳＣＨの場合にも適用され得る。ＰＵＣＣＨ（または、ＵＣＩを有するＰＵＳＣＨ）に対するパワーは、ｍｉｎ（ＰＵＣＣＨパワー、Ｐalloc、eNB）として決定されることができる。言い替えれば、両上りリンク伝送がＨＡＲＱ−ＡＣＫ伝送を有する場合、割り当てられたパワーがＨＡＲＱ−ＡＣＫ伝送に対するパワーを決定するために使用され得る。未使用のパワーが残っており（ＰＵＳＣＨのような）、一部他の上りリンクチャネルが存在する場合、このような未使用のパワーが他のチャネル等の伝送のために使用され得る。これは、ＵＣＩを有するＰＵＳＣＨがＰＵＣＣＨへの同じ優先順位を有している場合に一般化されることができる。また、ＨＡＲＱ−ＡＣＫを有さないＰＵＣＣＨは、「Ｎｏｎ−ＰＵＣＣＨ」または非ＨＡＲＱＡＣＫに取り扱われることができ、したがって、このような場合には、使用可能なパワーによってＰallocの割り当てをしないことができる。
【０１１５】
・ＭｅＮＢ上のＰＵＳＣＨ／ＳｅＮＢ上のＰＵＣＣＨ：優先順位がＳｅＮＢ上のＰＵＣＣＨに与えられ得るし、ＰＵＣＣＨに対するパワーは、ｍｉｎ（ＰＵＣＣＨパワー、Ｐalloc、SeNB）として指定されることができる。未使用のパワーは、ＭｅＮＢのＰＵＳＣＨ伝送に割り当てられることができる。
【０１１６】
・ＭｅＮＢ上のＰＵＣＣＨ／ＳｅＮＢ上のＰＵＳＣＨ：同様に、ＭｅＮＢ上のＰＵＣＣＨが維持され得る。このような場合、ＭｅＮＢに対するＰallocも構成される場合、ＭｅＮＢ上のＰＵＣＣＨに対するパワーは、（ＰＵＣＣＨ  ｐｏｗｅｒ、Ｐalloc、MeNB）として決定される。未使用のパワーは、他の伝送のために使用されることができる。
【０１１７】
・ＭｅＮＢ上のＰＵＣＣＨ／ＰＵＳＣＨ／ＳｅＮＢ上のＰＵＣＣＨ：留保された最小パワーＰallocは、各ｅＮＢに対するＰＵＣＣＨ伝送のために使用される。ＭｅＮＢ上のＰＵＳＣＨは、未使用のパワーから割り当てられることができる。したがって、ＭｅＮＢ上のＰＵＳＣＨに対するパワー＝ｍｉｎ（ＰＵＣＣＨパワー、Ｐalloc、MeNB）であり、ＳｅＮＢ上のＰＵＣＣＨに対するパワー＝ｍｉｎ（ＰＵＣＣＨパワー、Ｐalloc、SeNB）である。未使用のパワーがＰＵＳＣＨ伝送に割り当てられれば、これは、ｅＮＢにわたって均等にまたは加重値を有して分配されるか、ＭｅＮＢが未使用の全てのパワーを活用することができる。
【０１１８】
・ＭｅＮＢ上のＰＵＳＣＨ／ＭｅＮＢ上のＰＵＳＣＨ：同じ電力縮小が活用され得る。または、加重値による電力縮小が活用され得る。このような場合、ＵＣＩを有するＰＵＳＣＨがＵＣＩを有さないＰＵＳＣＨに比べて高い優先順位を有することができる。
【０１１９】
Ｐalloc、xeNBが構成されたら、これは、ＰＵＣＣＨ及びＰＵＳＣＨに適用することができる。しかし、ＰＲＡＣＨ及びＳＲＳに割り当てられたパワーは、別に取り扱われることができる。
【０１２０】
前記説明において、前記ＰＵＣＣＨは、一般的にＨＡＲＱ−ＡＣＫを有するＰＵＣＣＨ、ＨＡＲＱ−ＡＣＫを有するＰＵＳＣＨをいう（また、ＵＣＩを有するＰＵＣＣＨ及びＵＣＩを有するＰＵＳＣＨということができる）。ＳＲＳのパワーは、構成される場合、ｅＮＢ当たり、Ｐallocにより保障されない。言い替えれば、パワーリミテッドケースにおいて、ＳＲＳ伝送のみがさらに他のｅＮＢに予定された場合、Ｐalloc構成に関係なく、ＳＲＳが脱落され得る。Ｐallocは、さらにＰＵＣＣＨ伝送と同様に、ＰＲＡＣＨ伝送にも適用されることができる。言い替えれば、ＰＲＡＣＨ／ＰＲＡＣＨ伝送が発生すれば、ＰＲＡＣＨに対するパワーに対してｅＮＢ当たり、Ｐallocが使用され得る。前記優先順位及びパワー割当の場合に、ＰCMAX、eNBが構成されれば、ＰCMAX、eNBがＰalloc、eNBの代わりに使用され得る。例えば、ＰＵＣＣＨ／ＰＵＣＣＨが衝突したり、ＰＲＡＣＨ／ＰＲＡＣＨが衝突する場合にのみＰCMAX、eNBが使用され得る。
【０１２１】
また、ＰＲＡＣＨは、２つのｅＮＢ間のパワー分割に関係なく、ＵＥに対する最大パワーを活用できる。より詳しくは、搬送波グループ（ＭＣＧ）のＰＲＡＣＨ伝送がＵＥに対する最大パワーを活用できるであろう。進行される伝送とＰＲＡＣＨ伝送とが互いに衝突する場合、進行される伝送に対するパワーとＰＲＡＣＨ伝送に対する最大パワーとの合計がＵＥに対する最大パワーを超過するとき、ＵＥは、進行される伝送に対するパワーを縮小することができる。進行される伝送上の（ＰＵＳＣＨまたはＰＵＣＣＨのような）他のチャネルに対するパワーは、少なくともＰＲＡＣＨ伝送と進行される伝送との間の重なる部分でパワーの大きさが調節され得る。
【０１２２】
図８は、パワーが制限される場合のＰＲＡＣＨ伝送によるパワー縮小の例を見せる。図８に示すように、サブフレームｋでの最大パワーは、Ｐｍａｘ（ｎ、ｋ）で構成され、サブフレーム（ｋ＋１）での最大パワーは、Ｐｍａｘ（ｎ、ｋ＋１）で構成される。サブフレームｋ内の上りリンク伝送の中間でＰＲＡＣＨ伝送が行われる。このようなＰＲＡＣＨ伝送Ｐ１のために要求されるパワーと進行される伝送Ｃ１、ｋのためパワーとの合計がＰｍａｘ（ｎ、ｋ）を超過するので、進行される伝送に対するパワー縮小が行われる。
【０１２３】
また、前述されたＰallocに対する技術は、ＰCMAX、SeNBが構成された場合にのみ適用され得る。このような場合、ＰCMAX、SeNBは、Ｐalloc、SeNBと同一なものと仮定されることができる。
【０１２４】
また、少なくとも１つのｅＮＢが当該パワー範囲内の他のｅＮＢより高い優先順位を有するとき、Ｐalloc、eNBは、「保障されたパワーの値」で表すことができる。例えば、２３ｄＢｍパワークラスであって、Ｐalloc、SeNB＝２０ｄＢｍが構成された場合、ＵＥが２０ｄＢｍに達するＳｅＮＢより高い優先順位を有することが許され得る。類似した仮定がＭｅＮＢにも同様に適用され得る。このような未使用のパワーは、上述された共有規則により、２つのｅＮＢにわたって割り当てられることができる。
【０１２５】
図９及び図１０は、本発明の一実施形態に係る上りリンクパワー割当の例を見せる。ｅＮＢ１のサブフレーム＃２／＃３及び＃６／＃７が上りリンク伝送のために使用される。２つのｅＮＢのサブフレームが重なる所ではどこでも２つのｅＮＢ間にパワーが共有され得る。例えば、図１０のサブフレーム＃２／＃３において、ｅＮＢ１がいかなる他の上りリンク伝送も有さないので、ｅＮＢ０が優先順位を有するか、未使用のパワーがｅＮＢ０（例えば、ＭｅＮＢ）に割り当てられることができる。それに対し、図１１のサブフレーム＃６／＃７において、未使用のパワーがｅＮＢ１に割り当てられることができる。実際パワー割当は、２つのｅＮＢ間またはチャネルにわたってのパワー共有規則に基づいて決定されることができる。
【０１２６】
ＵＥが現在サブフレームのパワーを決定するとき、正確なパワーを知らないことがありうる次のサブフレームでの潜在的な上りリンク伝送を保護するために、前記ＵＥは、少なくとも留保された最小パワーが「ｅＩＭＴＡ（ｅｎｈａｎｃｅｄ  ｉｎｔｅｒｆｅｒｅｎｃｅ  ｍｉｔｉｇａｔｉｏｎ  ＆  ｔｒａｆｆｉｃ  ａｄａｐｔａｔｉｏｎ）により構成された柔軟な上りリンクサブフレーム」を含む次のサブフレームに割り当てられたと仮定することができる。例えば、ｅＮＢ１のサブフレーム＃３が上りリンクサブフレームのために使用される場合、ｅＮＢ１のサブフレーム＃２に対するパワーを決定するとき、これは、上りリンク伝送スケジューリングまたはＰＵＣＣＨスケジューリングに関係なく、ｅＮＢ１のサブフレーム＃３に割り当てられた留保された最小パワー（Ｐalloc、eNB1）を考慮すべきであろう。ｅＮＢ１のサブフレーム＃３でいかなる上りリンク伝送も発生しないならば、割り当てられたパワーが使用されないことができる。しかし、これは、以前の伝送が次の２つのｅＮＢ間の潜在的な上りリンク伝送に影響を及ぼす場合を避けるようになるであろう。言い替えれば、前記ＵＥは、ｅＮＢ１の重なったサブフレームに対して上りリンク伝送が予定されていないか、潜在的に計画されていない場合（及び反対の場合）にのみ最大パワーＰCMAXをｅＮＢ０に割り当てることができる。そうでない場合、前記ＵＥは、ｅＮＢ１に対して留保された最小パワーを残しておくために、（ＰCMAX−Ｐalloc、eNB1）の最大パワーをｅＮＢ０に割り当てることができる。２つのｅＮＢ間の未使用のパワーを共有することと係り、他の方式のうち、１つが、またはこれらが集合的に使用され得る。他のｅＮＢで上りリンクが予定されていないときは、ＵＥに対する最大パワーは、重なった両サブフレーム内の１つのｅＮＢに割り当てられることができる。
【０１２７】
より詳しくは、これは、非同期パワー制御が構成されたとき（すなわち、ＵＥが上位階層により非同期パワー制御モードで構成されるとき）、またはＵＥが少なくとも１つのｅＮＢに対するＰalloc値で構成されたときにのみ適用されることができる。多重のＴＡ技術が使用されれば、互いに重なる両サブフレームをうかがう代わりに、前記ＵＥは、重なる部分が他のサブフレームより大きい１つのサブフレームのみをうかがうことができる。例えば、サブフレームｎ及びサブフレームｋ間（２つのｅＮＢ間）の重なりは、０．８ｍｓであることに対し、サブフレームｎ＋１及びサブフレームｋ間の重なりは、０．２ｍｓであり、前記ＵＥは、未使用のパワー、電力縮小、及びパワーリミテッドケースを決定するために、サブフレームｎ／ｋの重なりのみをうかがうことができる。これは、ＵＥが同期式パワー制御モードで構成されるか、ＵＥがより短い処理時間で行うことができないか、ＵＥがこのような方式で行うように上位階層により構成された場合にのみ許される。
【０１２８】
電力縮小及び２つのｅＮＢ間のインタサイト（ｉｎｔｅｒ−ｓｉｔｅ）ＣＡに対する脱落のために、様々な方法が次のように使用され得る。
【０１２９】
・ＰＵＣＣＨに対するパワーは、大きさが調節されないことができる。電力縮小が使用されれば、ＰＵＣＣＨが最高の優先順位を有し（ＰＲＡＣＨでない）、したがって、ＰＵＣＣＨ上で電力縮小が試みられてはならない。ＰＵＣＣＨが他のｅＮＢに伝送されるとき、ＰＣｅｌｌ  ｅＮＢに対するＰＵＣＣＨがさらに高い優先順位を有することができ、ＰＵＣＣＨ伝送のみが試みられ、ＰＵＣＣＨ伝送に対する全体パワーが当該ＵＥに対する最大パワーを超過する場合には、さらに低い優先順位を有するＰＵＣＣＨは脱落されることができる。または、前記ＵＥは、２つのｅＮＢ間の優先順位として構成されて、パワーリミテッドケースとしてＰＵＣＣＨ伝送に対するＰＵＣＣＨを脱落させることができる。
【０１３０】
・ＵＣＩを有するＰＵＳＣＨは、ＵＣＩを有さないＰＵＳＣＨより高い優先順位を有する。
【０１３１】
・ＳＲＳパワーのためのパワーは、大きさが調節されないことができる。ＳＲＳが他の上りリンク信号と衝突する場合、前記ＳＲＳは、脱落されることができる。
【０１３２】
・ＰＲＡＣＨが他の信号より高い優先順位を有する。２つ以上のＰＲＡＣＨが同じｅＮＢまたは搬送波グループ内で伝送されないことができる。搬送波グループは、ＰＵＣＣＨが伝送される１つの搬送波を含む１つのグループを指すことができる。他のｅＮＢへのＰＲＡＣＨｓ伝送が互いに衝突する場合、ＰＣｅｌｌ  ｅＮＢのＰＲＡＣＨがさらに高い優先順位を有する。または、前記ＵＥが２つのｅＮＢ間の優先順位として構成され得る。低い優先順位を有するＰＲＡＣＨは脱落され得る。ＰＲＡＣＨに対するパワーは、大きさが調節されないことができる。前記ＰＲＡＣＨ及びＰＵＣＣＨが互いに衝突し、ＰＲＡＣＨ及びＰＵＣＣＨに対するパワーがＵＥに対する最大パワーを超過すれば、前記ＰＵＣＣＨは、脱落され得る。他の方式として、ＳＣｅｌｌへのＰＲＡＣＨを有するＰＣｅｌｌへのＰＵＣＣＨがＰＵＣＣＨ上の電力縮小として伝送され得る。
【０１３３】
一般的に、ＰＵＣＣＨまたはＰＲＡＣＨが他のチャネルに比べて高い優先順位を有する。他の上りリンクチャネルと比較して最も低い優先順位は、ＳＲＳであろうし、パワー制限が発生する場合、前記ＳＲＳがどのＣＣから脱落され得る。前記ＳＲＳが脱落した後にも依然としてパワー制限の問題がある場合、ＰＵＳＣＨ上での電力縮小が試みられ得る。それにもかかわらず、ＰＵＣＣＨ／ＰＲＡＣＨ、ＰＵＣＣＨ／ＰＵＣＣＨ、ＰＲＡＣＨ／ＰＲＡＣＨ間には依然としてパワー制限があり、一部優先順位規則が必要でありうる。ＰＵＣＣＨ及びＰＲＡＣＨ間に、ＰＤＣＣＨ命令により開始されたＰＲＡＣＨが前記ＰＵＣＣＨより高い優先順位を有する。前記ＰＵＣＣＨは、他のＰＲＡＣＨ伝送より高い優先順位を有することができる。
【０１３４】
ＰＵＣＣＨ／ＰＵＣＣＨが衝突するときは、２つの搬送波のデュプレックスモードが同じである場合（または、２つのｅＮＢのＰＣｅｌｌの場合）、ＰＣｅｌｌがスーパーＳＣｅｌｌより高い優先順位を有し、したがって、ＰＵＣＣＨ上でＳＣｅｌｌへの電力縮小が試みられ得る。同じ事項がＰＲＡＣＨにも適用され得る（電力縮小の詳細事項は、ＰＲＡＣＨがどのように開始されるかによってさらに変わることができる）。しかし、２つの搬送波のデュプレックスモードが互いに異なるときは、上りリンクサブフレームのより少ない個数のため、また、これにより、１つの上りリンクＰＵＣＣＨ伝送から伝送される潜在的により多い個数のＡＣＫ／ＮＡＣＫビットのため、ＴＤＤを有する前記ＳＣｅｌｌは、ＦＤＤ  ＰＣｅｌｌより高い優先順位を有することができる。前記ＰＣｅｌｌ及びスーパーＳＣｅｌｌが共にＴＤＤ構成を有する場合、前記ＰＣｅｌｌにさらに高い優先順位を付与する代わりに、さらにより少ない個数の上りリンクサブフレームを有するＴＤＤ  ＤＬ／ＵＬ構成がさらに高い優先順位を有することができる。類似した電力縮小規則がＰＲＡＣＨ／ＰＲＡＣＨ衝突にも同様に適用され得る。
【０１３５】
他の方式として、全体パワーが２つのｅＮＢ  ＵＬ伝送間のＵＥに対する最大パワーを超過する場合には、ＵＥが上りリンク信号を脱落させるように構成されることができる。１つのｅＮＢ内で、３ＧＰＰ  ＬＴＥ  ｒｅｌ−１１で使用された脱落規則が適用され得る。新しい脱落規則は、インタサイトＣＡが適用されるか、１つのｅＮＢ内のＰＵＣＣＨが２つ以上のＣＣに伝送される場合にのみ適用される。他の方式として、パワーが制限される場合が発生すれば、ＵＥが電力縮小／搬送波グループ当たり、縮小のために使用され得る各搬送波グループ当たり、最大許容値として構成され得る。前記ＵＥは、最大許容値水準を低くすることにより、搬送波グループ当たり、電力縮小を行う。各搬送波グループ当たりのパワー縮小後に、全体パワーが依然としてＵＥに対する最大パワーを超過する場合、前記ＵＥは、ＭｅＮＢ（または、Ｃ−Ｐｌａｎｅ）への伝送に高い優先順位を置くことができる。そうでない場合、未使用のパワーがさらに前記ＭｅＮＢに割り当てられるか、搬送波グループに均等に、または加重値を有して同等に分配され得る。
【０１３６】
他の方式として、ＵＥがＳｅＮＢに対する最大許容値として構成され得る。パワーが制限される場合が発生すれば、ＳｅＮＢ伝送上でのパワー縮小が最大許容値水準で試みられる（例えば、２０％許容値水準で、ＳｅＮＢパワーは、指定されたパワーの８０％まで縮小され得る）。ＳｅＮＢ上で電力縮小を試みた後、全体パワーがＵＥに対する最大パワーを超過しなければ、前記ＵＥが伝送され得る。そうでない場合、ＳｅＮＢへの伝送が脱落され得る（すなわち、ＭｅＮＢ伝送が高い優先順位を有することができる）。ＭｅＮＢ伝送の優先順位を高くする代わりに、ＰＣｅｌｌへの伝送のみが高い優先順位を有することもできる。このような場合、前記許容値は、最大パワーを満たすために、ＰＣｅｌｌを除いた他のセルに適用され得る。前記許容水準以内で電力縮小が可能でないときには、一部チャネルが脱落され得る。
【０１３７】
脱落が構成されるとき、チャネルの優先順位は、ＰＲＡＣＨ−ＰＵＣＣＨ−ＵＣＩを有するＰＵＳＣＨ−ＵＣＩを有さないＰＵＳＣＨ−ＳＲＳの順序を有することができる。すなわち、脱落の優先順位は、電力縮小の優先順位と類似することができる。同じチャネルが２つのｅＮＢ間で互いに衝突するとき、高い優先順位を有するｅＮＢが構成され得る。他の方式として、ＰＲＡＣＨ−ＨＡＲＱ−ＡＣＫ／ＳＲ−ＣＳＩ−データの順序が考慮され得る。基本値として、ＵＥは、Ｃ−Ｐｌａｎｅ連結（例えば、ＰＣｅｌｌ）を維持するｅＮＢにさらに高い優先順位が与えられると仮定することができる。２つのｅＮＢ間でパワーを効率的に割り当て、上りリンクサブフレーム及びスケジューリングを調整することにより、多くないサブフレームが２つのｅＮＢ間でパワーリミテッドケースを経なくなり、各ｅＮＢでの性能低下を避けることができるものと期待される。２つのｅＮＢが理想的であるか、良好なバックホールにより連結されれば、このような信号を脱落させる代わりに、これを他の上りリンク信号にピギーバック（ｐｉｇｇｙｂａｃｋ）させることができる。２つ以上の上位階層がＵＥに構成されるので、物理的階層の観点で、インタサイトＣＡが考慮され得る。全体的に、パワーリミテッドケースでの脱落または脱落規則がより上位の階層を介してＵＥにも構成され得る。基本状態で、ＵＥは、パワー縮小規則がいかなる明示的な構成なく、適用されることと仮定することができる。
【０１３８】
前述された接近方式において、各ｅＮＢに割り当てられたパワーがＵＥに対する最大パワーを超過しない場合、上りリンク伝送にわたった電力縮小が必要でないことができる。このような場合、ＵＥは、ｅＮＢ当たり、Ｐallocを活用してどのチャネルを保護するかを決定することができる。例えば、全てのＰＵＳＣＨ伝送の大きさを減らす代わりに、ＰＵＳＣＨ伝送のみが予定され得るし、ｅＮＢ当たり、Ｐallocより大きいパワーを有する少なくとも１つのＰＵＳＣＨ伝送が保障され得る。または、ｅＮＢ当たり、Ｐallocがいかなるチャネルを脱落させるかを決定するために使用されることができる。例えば、チャネルに割り当てられたパワーがＰalloc、eNBより小さい場合、このチャネルは、ｅＮＢに達することができない可能性があるので、脱落され得る。より詳しくは、この値がＰＵＣＣＨ脱落の場合のみを決定するために使用されることができる。
【０１３９】
図１１は、本発明の一実施形態に係る上りリンク制御方法の例を示す。図１１の実施形態は、Ｐallocを割り当てる方法に該当し、このとき、ｅＮＢ当たり、または搬送波グループ当たり、留保された最小パワーは、上述されたように構成される。
【０１４０】
ステップＳ１００において、ＵＥは、第１の搬送波グループに対して留保された第１の最小パワー及び第２の搬送波グループに対して留保された第２の最小パワーを割り当てる。前記留保された第１の最小パワー及び留保された第２の最小パワーは、ＭｅＮＢにより構成されることができる。前記留保された第１の最小パワー及び留保された第２の最小パワーは、比率により構成されることができる。前記留保された第１の最小パワー及び留保された第２の最小パワーは、ＵＥのＰＲＡＣＨ伝送のパワーを制限しないことができる。前記第１の搬送波グループは、二重連結内のＭｅＮＢに該当することができ、前記第２の搬送波グループは、二重連結内のＳｅＮＢに該当することができる。第１の搬送波グループは、複数のＣＣを含むことができ、第２の搬送波グループは、複数のＣＣを含むことができる。
【０１４１】
ステップＳ１１０において、ＵＥは、留保された第１の最小パワー及び留保された第２の最小パワーを除き、未使用のパワーに対してパワー共有規則を適用する。未使用のパワーは、留保された第１の最小パワー及び留保された第２の最小パワーをＵＥに対する最大パワーから引いた値により得られた値で決定されることができる。パワー共有規則は、チャネル優先順位によって適用され得る。ＰＲＡＣＨが最も高い優先順位を有することができる。ＰＵＣＣＨがＰＵＳＣＨより高い優先順位を有することができる。ＵＣＩを有するＰＵＳＣＨがＵＣＩを有さないＰＵＳＣＨより高い優先順位を有することができる。
【０１４２】
ＵＥは、前記留保された第１の最小パワー及び留保された第２の最小パワーに基づいて各々前記第１の搬送波グループ及び第２の搬送波グループ内で電力縮小をさらに行うことができる。第２の搬送波グループに対する上りリンク伝送がない場合、ＵＥに対する最大パワーが第１の搬送波グループに割り当てられ得る。
【０１４３】
本発明の一実施形態に係る２段階パワー制限が記述される。このような接近方式において、ＵＥは、各搬送波グループ当たり、最大パワーとして構成される。まず、ＵＥが全ての上りリンク伝送の全体パワーを測定する。各搬送波グループへの上りリンク伝送の潜在的に整列されていないサブフレーム境界を許すために、前記ＵＥは、サブフレームｎ＋１だけでなく、ｎ（または、一般的にｋ＋１）で全体パワーを測定することができる。両サブフレームの全体パワーがＵＥに対する最大パワーを超過しない場合、ＵＥは、各チャネルに対して指定されたパワーで伝送することができる。パワーリミテッドケースが発生すれば、ＵＥは、３ＧＰＰ  ＬＴＥ  ｒｅｌ−１１で使用された規則を適用することにより、搬送波グループ当たり、各搬送波グループに割り当てられた最大パワーを適用することができる。このような場合、電力縮小後にもパワーが続けてＵＥに対する最大パワーを超過するならば、ｅＮＢにわたった電力縮小が試みられ得る。搬送波グループ当たり、最大パワー制限を適用した後に、全体パワーがＵＥに対する最大パワーより小さい場合には、未使用のパワーが電力縮小が発生した搬送波グループに指定され得る。例えば、搬送波グループに割り当てられたさらに低い最大パワーのため、両搬送波グループに対して電力縮小が行われる場合には、未使用のパワーがＭｅＮＢに、または各搬送波グループに均等に（または、ある程度の加重値を有して）割り当てられることができる。
【０１４４】
全体パワーがＰCMAXを超過する場合であるか否かを決定するとき、ＳＲＳに対して、これはシンボル全体にわたって測定されることができる。しかし、ＰＵＣＣＨまたはＰＵＳＣＨに対しては、他の接近方式がありうる。
【０１４５】
２段階パワー制限の手順は、次のとおりである。
【０１４６】
１＞  ＵＥの全体伝送パワーがＰCMAX（ｉ）を超過しない場合、全てのチャネルを伝送する。
【０１４７】
１＞  その他、Ｐalloc、eNB1（ｉ）及びＰalloc、eNB2（ｉ）を構成せずに、ＰCMAX、eNB1（ｉ）及びＰCMAX、eNB2（ｉ）が構成される場合：
２＞  ＵＥのｅＮＢ１への全体伝送パワーがＰCMAX、eNB1（ｉ）を超過する場合、ｅＮＢ２（または、他の搬送波グループ）への未使用のパワーを計算する。
【０１４８】
３＞  ＰCMAX、eNB1（ｉ）＝ＰCMAX、eNB1（ｉ）＋未使用のパワー
３＞  ｅＮＢ１への全体パワーがＰCMAX、eNB1（ｉ）と同じであるか、これより少ないように減少させるために、３ＧＰＰ  ＬＴＥ  ｒｅｌ−１１で使用された規則にしたがってｅＮＢ１の搬送波グループ内で電力縮小を行う。
【０１４９】
２＞  ＵＥのｅＮＢ２への全体伝送パワーがＰCMAX、eNB2（ｉ）を超過する場合、ｅＮＢ１（または、他の搬送波グループ）への未使用のパワーを計算する。
【０１５０】
３＞  ＰCMAX、eNB2（ｉ）＝ＰCMAX、eNB2（ｉ）＋未使用のパワー
３＞  ｅＮＢ２への全体パワーがＰCMAX、eNB2（ｉ）と同じであるか、これより少ないように減少させるために、３ＧＰＰ  ＬＴＥ  ｒｅｌ−１１で使用された規則にしたがってｅＮＢ２の搬送波グループ内で電力縮小を行う。
【０１５１】
１＞  その他、Ｐalloc、eNB1（ｉ）及び／又はＰalloc、eNB2（ｉ）が構成されてＰCMAX、eNB1（ｉ）及びＰCMAX、eNB2（ｉ）が構成される場合：
２＞  ＵＥのｅＮＢ１への全体伝送パワーがＰCMAX、eNB1（ｉ）を超過する場合、ｅＮＢ２（または、他の搬送波グループ）への未使用のパワーを計算する。
【０１５２】
３＞  ＰCMAX、eNB1（ｉ）＝ＰCMAX、eNB1（ｉ）＋未使用のパワー
３＞  ｅＮＢ１への全体パワーがＰCMAX、eNB1（ｉ）と同じであるか、これより少ないように減少させるために、３ＧＰＰ  ＬＴＥ  ｒｅｌ−１１で使用された規則にしたがってｅＮＢ１の搬送波グループ内で電力縮小を行う。
【０１５３】
２＞  ＵＥのｅＮＢ２への全体伝送パワーがＰCMAX、eNB2（ｉ）を超過する場合、ｅＮＢ１（または、他の搬送波グループ）への未使用のパワーを計算する。
【０１５４】
３＞  ＰCMAX、eNB2（ｉ）＝ＰCMAX、eNB2（ｉ）＋未使用のパワー
３＞  ｅＮＢ２への全体パワーがＰCMAX、eNB2（ｉ）と同じであるか、これより少ないように減少させるために、３ＧＰＰ  ＬＴＥ  ｒｅｌ−１１で使用された規則にしたがってｅＮＢ２の搬送波グループ内で電力縮小を行う。
【０１５５】
１＞  その他、Ｐalloc、eNB1（ｉ）及び／又はＰalloc、eNB2（ｉ）が構成される場合：
２＞  ＵＥのｅＮＢ１への全体伝送パワーがＰCMAX、eNB1（ｉ）を超過する場合、前記ｅＮＢ１がＭｅＭＢであり、前記ＭｅＮＢが優先順位を有することと仮定して、ｅＮＢ２（または、他の搬送波グループ）への未使用のパワーを計算する。
【０１５６】
３＞  ＰC、eNB1（ｉ）＝Ｐalloc、eNB1（ｉ）＋（ＰCMAX−Ｐａlloc、eNB2(ｉ））
３＞  ｅＮＢ１への全体パワーがＰCMAX、eNB1（ｉ）と同じであるか、これより少ないように減少させるために、３ＧＰＰ  ＬＴＥ  ｒｅｌ−１１で使用された規則にしたがってｅＮＢ１の搬送波グループ内で電力縮小を行う。
【０１５７】
２＞  ＵＥのｅＮＢ２への全体伝送パワーがＰCMAX、eNB2（ｉ）を超過する場合、前記ｅＮＢ１がＭｅＭＢであり、前記ＭｅＮＢが優先順位を有することと仮定して、ｅＮＢ１（または、他の搬送波グループ）への未使用のパワーを計算する。
【０１５８】
３＞  ＰC、eNB2（ｉ）＝Ｐalloc、eNB2（ｉ）＋未使用のパワー
３＞  ｅＮＢ２への全体パワーがＰCMAX、eNB2（ｉ）と同じであるか、これより少ないように減少させるために、３ＧＰＰ  ＬＴＥ  ｒｅｌ−１１で使用された規則にしたがってｅＮＢ２の搬送波グループ内で電力縮小を行う。
【０１５９】
前記ＳｅＮＢが優先順位を有する場合、上記の構成形式は、ｅＮＢ１及びｅＮＢ２間で変更される。
【０１６０】
図１２は、本発明の一実施形態に係る２段階パワー制限接近方式の例を見せる。ｅＮＢ１のサブフレーム＃２／＃３及び＃６／＃７が上りリンク伝送のために使用される。ｅＮＢ０に対するサブフレーム＃２において、全体パワーが＃２への部分的な上りリンク伝送のみが使用されるｅＮＢ０の＃２のサブフレーム境界にわたって測定されるであろうから、ＵＥの全体パワーは、ＵＥに対する最大パワーを超過しないことができる。したがって、特定の点での瞬間的なパワーがＰCMAXを超過するようになるとしても、前記ＵＥは、問題を起こさずに、両上りリンクを伝送し続けることができる。
【０１６１】
パワーリミテッドケースに対する決定と係り、いくつの例が考慮され得る。
【０１６２】
・いかなる瞬間であろうとも、最大パワーがＵＥに対する最大を超過する場合には、パワーリミテッドケースが決定される（図１２に示すように、ｅＮＢ０伝送のサブフレーム＃２は、パワーリミテッドケースを有することができる）。
【０１６３】
・１ｍｓにわたった全体パワーがＵＥに対する最大を超過する場合には、パワーリミテッドケースが決定される（図１２に示すように、ｅＮＢ０伝送のサブフレーム＃２は、パワーリミテッドケースを有しないことができる）。
【０１６４】
・１つのサブフレームが他の搬送波グループ伝送の２つのサブフレームと重なり、２つのうち、１つがパワーリミテッドケースを有する場合、パワーリミテッドケースが決定される（図１２に示すように、ｅＮＢ０伝送のサブフレーム＃２は、ｍパワーリミテッドケースを有することができる）。
【０１６５】
互いに異なるスケジューリングと構成のため、ネットワークが同期化されなければ、１つのサブフレームの間、２つのＰCMAX値がありうる。このような場合、最小または最大値のうち、１つがパワーリミテッドケースを計算するために選択され得る。また、ＳＲＳ及びＰＵＳＣＨのような他のチャネルが互いに異なるパワー制限条件が考慮になる所で重なることができる。
【０１６６】
パワーリミテッドケースに、パワー制限が両搬送波グループで発生すれば、ＵＥは、各ｅＮＢに割り当てられた最大パワーを個別的に使用することができる。パワー制限が単一な搬送波グループでのみ発生すれば、パワーが制限されない搬送波グループ（重なった部分を有して整列）からの未使用のパワーが他の搬送波グループに割り当てられ得る。
【０１６７】
図１３は、本発明の一実施形態に係る２段階パワー制限接近方式のさらに他の例を示す。ｅＮＢ０へのＵＬ伝送のサブフレーム＃２でｅＮＢ０に対するパワーリミテッドケースを有すると仮定される。ｅＮＢ１  ＵＬに対して未使用のパワーがｅＮＢ０  ＵＬ伝送に使用され得る。未使用のパワーがＵＰｃである場合、これは、１ｍｓにわたって分散されることができ、ｅＮＢ０へのＵＬ伝送に対するパワーのために使用されることができる。割り当てられた最大パワー及び使用されない部分により追加されたパワーがさらにグループ内での電力縮小のために使用され得る。より詳しくは、ＰＲＡＣＨパワーランピング（ｒａｍｐｉｎｇ）のために、ＰCMAX、eNB1（ｏｒ  ＰCMAX、eNB2）を越えるパワーランピングが許されないように、搬送波グループ当たり、割り当てられたパワーが制限として使用され得る。これは、ＰＲＡＣＨに対するパワーを制限するようになるが、このため、物理レイヤでいかなるパケットの脱落も引き起こされないことができる。
【０１６８】
本発明の一実施形態に係る搬送波グループ当たり、パワー制限が記述される。このような選択事項は、２段階パワー制限と類似する。唯一の差異は、ＵＥが搬送波グループ当たり、全体パワーを測定するということである。パワーが両搬送波グループに対して割り当てられた最大パワーを超過する場合、それぞれの割り当てられた最大パワー毎に電力縮小が搬送波グループ内で発生する。パワーが１つの搬送波グループに対して割り当てられた最大パワーのみを超過する場合、他のグループからの未使用のパワーが第１のグループに適用され、その後、当該グループに対してパワーリミテッドケースが発生するとしても、続けて電力縮小が行われる。搬送波グループ当たり、パワー制限の手順は、前述された２段階パワー制限の手順と同様である。「未使用のパワー」を決定することと係り、いくつかの接近方式が考慮され得る。
【０１６９】
・１ｍｓにわたって他の搬送波グループにより未使用のパワーの平均
・サブフレーム＃ｎ及びサブフレーム＃ｎ＋１がグループへの上りリンク伝送と重なると仮定するとき、他の搬送波グループにより未使用のｎまたはｎ＋１サブフレームパワーの最小
・未使用のｎまたはｎ＋１サブフレームパワーの最大
・未使用のｎまたはｎ＋１サブフレームパワーの平均
・ｎサブフレーム内の未使用のパワー、ＰCMAX−Ｐalloc_xeNBのうち、最小であって、このとき、ｘｅＮＢは、サブフレームｎのｅＮＢ。
【０１７０】
前記説明において、実際に未使用のパワーが様々な方法によって計算され得る。まず、各搬送波グループ当たり、最大パワーが割り当てられる場合、このような未使用のパワーは、（ＰCMAX、eNB1−ｅＮＢ１搬送波グループに対して割り当てられたパワー）として計算され得る。パワー割当比率が各搬送波グループに対して６０％／４０％といったふうに割り当てられた場合、このような未使用のパワーは、（ＰCMAX＊（ｅＮＢ１−ｅＮＢ１搬送波グループに対して割り当てられたパワー）に対する比）として計算され得る。他の方式として、パワー割当に関係なく、未使用のパワーは、（ＰCMAX（ｉ）−ｅＮＢ１に対する現在パワー−ｅＮＢ２に対する現在パワー）として計算され得る。他の方式として、ＰCMAX（ｉ）ＰCMAX（ｉ）及びＰCMAX（ｉ＋１）間の最小として選択されることができ、このとき、ｅＮＢ１に対して割り当てられたパワーは、（サブフレームｉで割り当てられたパワー、サブフレームｉ＋１で割り当てられたパワー）の最大として選択される。各サブフレームでＳＲＳのみが伝送され、前記ＳＲＳ及び他のチャネルが互いに衝突しない場合、前記ＳＲＳに対するパワーは、使用されたパワーとみなされてはならない。
【０１７１】
ｅＮＢ当たり、Ｐallocに対して、Ｐallocは、ＰO_PUSCH、cを構成することにより計算されることができ、このとき、ｃは、ＰＣｅｌｌまたはｓＰＣｅｌｌ（ＰＵＣＣＨがＳｅＮＢ内で伝送されるセル）に関するものであり、αc（ｊ）及び／又はΔTF、c（ｉ）＋ｆc（ｉ））または単一値が構成され得る。ＰO_PUCCH、ｇ（ｉ）、及びＰＵＣＣＨ伝送のための一部余分が考慮され得る。ＵＥは、ｅＮＢ当たり、ＰallocをＰcmin、eNBj（ｉ）＝ｍｉｎ｛ｐCMAX、c（ｊ）、ＰO_PUCCH＋ＰＬc＋ｇ（ｉ）＋Δ｝またはＰcmin、eNBj（ｉ）＝ｍｉｎ｛ＰCMAX、c（ｊ）、ＰO_PUSCH＋α（ｊ）ＰＬc＋ΔTF、c（ｉ）＋ｆc（ｉ）＋Δ｝として計算することができる。ＰＵＣＣＨ伝送を保護するために、ＰＵＣＣＨパラメータを使用することが好ましい。しかし、前記ＵＥは、ＰＵＣＣＨ及びＰＵＳＣＨの各々に対して２つの互いに異なるＰalloc値で構成されることができる。このような値は、ＰＲＡＣＨ伝送に適用が不可能でありうる。このような場合、ＰＲＡＣＨを伝送するために、電力縮小が発生する場合には、Ｐallocより低いパワーを有するチャネルが脱落され得る。他の方式として、ＰＲＡＣＨのために使用されたパワーは、さらにｅＮＢ当たり、Ｐallocのためにも使用されることができる。
【０１７２】
ｅＮＢ当たり、このようなＰallocの目的は、ｅＮＢ当たり、少なくとも１つの上りリンクチャネルに対して使用される最小限の留保されるパワーを保障するためのことである。ｅＮＢ当たり、Ｐallocを適宜構成することにより、これにより、ＰＵＣＣＨまたはＰＵＳＣＨのような重要なチャネルの保護がなされ得るように、その品質（受信品質）が保存されなければならない。例えば、前記ＭｅＮＢは、ＰＵＣＣＨ伝送を保障できるように、Ｐalloc、SeNBをＳｅＮＢに対してＰＵＣＣＨ伝送のために要求される最小の留保パワーで構成することができる。さらに他の例では、Ｐalloc、MeNBをＭｅＮＢへのＰＵＣＣＨ伝送が保障されるように構成することができる。Ｐallocが構成されれば、ＰＲＡＣＨ伝送がさらに高い優先順位を有することにより、ｅＮＢ当たり、Ｐallocに関係なく、少なくとも１つのＰＲＡＣＨが伝送されるようにすることができる。まとめると、ｅＮＢ当たり、Ｐallocは、上位階層により構成されるか、ＵＥにより決定されることができる（その後、選択的に各ｅＮＢに通知される）。
【０１７３】
図１４は、ＵＥの遅延処理の一例を示す。非同期的な場合を扱うためのＵＥ処理遅延と係り、ＵＥの能力によって、前記ＵＥが２つのサブフレームの両方を使用してパワーリミテッドケースを決定したり、決定しないことができる。例えば、図１４に示すように、サブフレームｎでの他のｅＮＢの上りリンク伝送のために、サブフレームｎ及びｎ＋１のためのパワーが考慮されなければならない場合、ＵＥは、パワー消費と２ｍｓ未満の資源割当を処理すべき必要がありうる。前記ＵＥは、より短い時間に、自分が上りリンク付与を扱うことができるか否かに対する能力を報告することができ、これを介してネットワークは、パワーリミテッドケースを扱い、未使用のパワー計算を行うように適切な方式を構成することができる。ｅＮＢ１への１つのサブフレームがｅＮＢ２への２つのサブフレームと重なるため、未使用のパワーを計算するときは、２つの値が計算されなければならず、未使用のパワーを他のｅＮＢに貸与するために、最小または最大または平均値が使用され得る。
【０１７４】
ネットワークが非同期的状況と同期的状況との各々に対して互いに異なるパワー制御を構成すると仮定し、２つの場合の両方に対する決定方法が追加的に議論される。このうち、一例は、ＵＥにより報告された２つのｅＮＢ間のサブフレーム及びシステムフレーム番号（ＳＦＮ）のオフセット差を用いることである。動作がいかなるモードを基盤とするかがさらに上位階層を介してＵＥに信号として送られる。さらに他の例は、ＵＥ能力を基盤とすることである。このような場合、ＵＥは、どのモードが使用されるべきかを報告することができる。
【０１７５】
ＵＥパワー選択が記述される。ネットワーク構成の代わりに、ＵＥは、最大パワーを自動的に選択することもできる。このような場合、パワーヘッドルーム報告（ＰＨＲ）の値は、各ｅＮＢがこのＵＥに対するパワーを計算できるように適宜反映されることができる。ＴＤＤ／ＦＤＤノード内の集合またはＴＤＤ／ＴＤＤノード内の資源集合を潜在的に処理するために、前記ＵＥは、ＰＨＲの２つの集合を送ることができ、他のｅＮＢの上りリンク構成によって、このうち、１つは高いパワーを有し、他の１つは低いパワーを有するようになる。また、前記ＵＥは、構成（ＤＬ／ＵＬ）及び２つの搬送波グループ間の時間間隔を送り、各ｅＮＢが互いに異なる上りリンク特性を活用するようにすることができる。
【０１７６】
搬送波グループ毎に、最大／最小パワーを割り当てることと合わせて、全てのチャネルの代わりに、チャネルの部分集合に対する最大／最小パワーのみを活用することを考慮することができる。例えば、ＰＲＡＣＨ伝送が各グループに割り当てられた最大パワーにより制限されないことができる。各グループに割り当てられた最大パワーに関係なく、ＰＲＡＣＨは、高いパワーを有する（しかし、最大ＵＥパワーよりは低い）最高の優先順位で伝送されることができる。これは、効率的なＰＲＡＣＨ伝送を許すためのものである。このような場合が適用されれば、ＰＲＡＣＨに対する高いパワーを保障するために、ＰＲＡＣＨが伝送されるとき、一部チャネルが脱落したり、他のチャネルに対するパワーの大きさ調節が行われることが必要でありうる。
【０１７７】
パワーリミテッドケースにＰＲＡＣＨを脱落させるＵＥの行動は、インタノード資源集合の場合とＰＵＣＣＨオフロードの場合とで異なることができる。ＰＵＣＣＨオフロードにおいて、ＰＲＡＣＨとの衝突の際、どんなものを脱落させるかは、ＵＥにより決定される。より詳しくは、ＰＵＣＣＨオフロードにおいて、ＵＥは、２つのＰＲＡＣＨ過程を同時に維持する必要がなく、したがって、２つ以上のＰＲＡＣＨが互いに衝突するとき、前記ＵＥは、１つのＰＲＡＣＨ過程を自由に脱落させることができる。したがって、搬送波グループがインタノード資源集合またはＰＵＣＣＨオフロードを支援するために形成されたかが仮定される。ＰＵＣＣＨ搬送波がどの手段により２つのｅＮＢ間で共有されない場合、前記ＵＥは、インタノード資源集合及びＰＵＣＣＨオフロードの場合のうち、いかなるものでも構成されないと追加的に仮定することができる。
【０１７８】
追加的に、ＵＥがパワーの大きさ調節を行い、サイト内のＣＡが構成される場合、前記ＵＥは、パワーの大きさ調節が適用されたことを表すことができる。他の方式として、前記ＵＥは、サイト内またはサイト間のＣＡに関係なく、電力縮小が使用されたことを表すことができる。このような電力縮小が適用されたか否かを知らせるための多重の接近方式が使用可能でありうる。一例は、互いに異なる初期化値または循環シフトを使用してＰＵＳＣＨの復調基準信号（ＤＭＲＳ）シーケンスを変更するものである。例えば、
【数１４】
0006668242.tif 000015
が、パワーの大きさ調節が適用されたＰＵＳＣＨに対して構成され得る。電力縮小が適用されるか、適用されなかったＰＵＳＣＨ間のＤＭＲＳシーケンスを差別化するための他の手段が使用され得る。さらに他の例は、上位階層を介して情報を伝送して、上位階層がパワー制限の発生を報告するようにするものである。このような場合、電力縮小報告は、ＭｅＮＢ及びＳｅＮＢに対する二重連結が構成された２つのｅＮＢの両方（すなわち、２つの上位階層以上）に報告されることができる。
【０１７９】
また、ＵＥが、電力縮小が使用されたか否かを表すことができることと仮定された場合、互いに異なる変調及びコーディング体系（ＭＣＳ）がＰＵＳＣＨ伝送に対する電力縮小の使用可否とともに考慮され得る。例えば、ＭＣＳ＝８が構成されたパワーとともにＵＥで構成された場合には、電力縮小が適用されたとき、ＭＣＳ＝６が使用され得る。ＭＣＳデルタ及びパワー大きさ調節量間のマッピングテーブルの集合も考慮され得る。例えば、電力縮小が２ｄＢであるとき、ＭＣＳデルタが２でありうる。
【０１８０】
Ｐallocが各キャリアグループまたは各ｅＮＢによって構成されて、ＵＥが割り当てられたパワーを他のｅＮＢに留保する場合、ＵＥにＳＲＳ伝送のみが予定された場合であるとしても、使用できるパワーがありうる。ＳＲＳに対して要求されるパワーがＰalloc、xeNBより大きい場合には、２つの選択肢がある。第１は、パワーが十分でないので、ＳＲＳを脱落させることであり、第２は、残余パワーとしてＳＲＳを伝送することである。ＳＲＳ伝送に残余パワーを使用するか否かに対する決定を下すとき、前記ＵＥは、伝送のために、他のｅＮＢを予めうかがって、他のｅＮＢまたは搬送波グループが（ＳＲＳ以外の）他のデータを有しないときにのみこのようなパワーを使用するようにすることができる。残余パワーを他のｅＮＢでの潜在的伝送のため、使用することができないか、少なくともＰallocが留保されたパワー制限の場合、ＳＲＳを要求されたものより低いパワーで伝送することも考慮され得る。このような場合、互いに異なるスクランブリングシーケンスまたは他の手段を使用して、ＳＲＳが低いパワー（Ｐalloc）として伝送されたことを知らせることが好ましい。一部残余パワーがＳＲＳのための要求パワーの要件を満たさない場合にも適用され得る。残余パワーでＳＲＳを伝送することは好ましくない。したがって、前記ＳＲＳが伝送される場合、前記パワーは、（１）ＰCMAX、c、（２）Ｐalloc、xeNB、（３）前記要求されたパワーのうち、１つでありうると仮定されることができる。
【０１８１】
パワー制御ループが撹乱されないようにするために、（１）または（３）（すなわち、ＰCMAX、cまたは要求されたパワー）が満たされない場合に、前記ＳＲＳが脱落されることを仮定することができる。言い替えれば、前記ＳＲＳは、ＳＲＳに対して要求されたパワーが満たされるか、ＰCMAX、cに達する場合にのみ伝送されることができる。
【０１８２】
図１５は、本発明の実施形態が実現される無線通信システムを示す。
【０１８３】
ｅＮＢ８００は、プロセッサ（ｐｒｏｃｅｓｓｏｒ）８１０、メモリ（ｍｅｍｏｒｙ）８２０、及びＲＦ部（ｒａｄｉｏ  ｆｒｅｑｕｅｎｃｙ  ｕｎｉｔ）８３０を備えることができる。プロセッサ８１０は、本明細書で説明された機能、過程、及び／又は方法を実現するように構成されることができる。無線インタフェースプロトコルの階層は、プロセッサ８１０により実現されることができる。メモリ８２０は、プロセッサ８１０と連結され、プロセッサ８１０を駆動するための様々な情報を格納する。ＲＦ部８３０は、プロセッサ８１０と連結され、無線信号を送信及び／又は受信する。
【０１８４】
端末９００は、プロセッサ９１０、メモリ９２０、及びＲＦ部９３０を備えることができる。プロセッサ９１０は、本明細書で説明された機能、過程、及び／又は方法を実現するように構成されることができる。無線インタフェースプロトコルの階層は、プロセッサ９１０により実現されることができる。メモリ９２０は、プロセッサ９１０と連結され、プロセッサ９１０を駆動するための様々な情報を格納する。ＲＦ部９３０は、プロセッサ９１０と連結され、無線信号を送信及び／又は受信する。
【０１８５】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／又はデータ処理装置を備えることができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体、及び／又は他の格納装置を備えることができる。ＲＦ部８３０、９３０は、無線周波数信号を処理するためのベースバンド回路を備えることができる。実施形態がソフトウェアで実現されるとき、前述した技法は、前述した機能を果たすモジュール（過程、機能など）で実現されることができる。モジュールは、メモリ８２０、９２０に格納され、プロセッサ８１０、９１０により実行されることができる。メモリ８２０、９２０は、プロセッサ８１０、９１０の内部または外部にあり、よく知られた様々な手段でプロセッサ８１０、９１０と連結されることができる。
【０１８６】
前述した例示的なシステムにおいて、前述した本発明の特徴によって実現されることができる方法は、流れ図に基づいて説明された。便宜上、方法は、一連のステップまたはブロックで説明したが、請求された本発明の特徴は、ステップまたはブロックの順序に限定されるものではなく、あるステップは、異なるステップと、前述と異なる順序にまたは同時に発生できる。また、当業者であれば、流れ図に示すステップが排他的でなく、他のステップが含まれ、または流れ図の１つまたはそれ以上のステップが本発明の範囲に影響を及ぼさずに削除可能であることを理解することができる。
【図１】
0006668242.tif 000016
【図２】
0006668242.tif 000017
【図３】
0006668242.tif 000018
【図４】
0006668242.tif 000019
【図５】
0006668242.tif 000020
【図６】
0006668242.tif 000021
【図７】
0006668242.tif 000022
【図８】
0006668242.tif 000023
【図９】
0006668242.tif 000024
【図１０】
0006668242.tif 000025
【図１１】
0006668242.tif 000026
【図１２】
0006668242.tif 000027
【図１３】
0006668242.tif 000028
【図１４】
0006668242.tif 000029
【図１５】
0006668242.tif 000030